(57)【要約】  ある実施形態によれば、第１の無線アクセス技術（ＲＡＴ）に関連する第１のネットワークノード（１６０）と第２のＲＡＴに関連する第２のネットワークノード（１６０）との間のリソース割り当てのための方法が提供される。ここで、第１のＲＡＴと第２のＲＡＴは、重複するスペクトルを用いる。方法は、第１のネットワークノードが、第２のネットワークノードによる使用のための複数のリソースのうちの１つ以上のリソースを決定することを含む。複数のリソースは、ビット系列によって表現される。メッセージが、第２のネットワークノードへ送信される。メッセージは、第２のネットワークノードによる使用のための１つ以上のリソースが示されたビット系列を含む。【選択図】図１０
2021520666.tif 000002
【特許請求の範囲】
【請求項１】
第１の無線アクセス技術（ＲＡＴ）に関連する第１のネットワークノード（１６０）と第２のＲＡＴに関連する第２のネットワークノード（１６０）との間でのリソース割り当ての方法であって、前記第１のＲＡＴと前記第２のＲＡＴは重複するスペクトルを使用し、前記方法は、
前記第１のネットワークノードが、前記第２のネットワークノードによる使用のための、ビット系列によって表現される複数のリソースのうちの、１つ以上のリソースを決定することと、
前記第２のネットワークノードへ、前記第２のネットワークノードによる使用のための前記１つ以上のリソースが特定された前記ビット系列を含んだメッセージを送信することと、
を含む方法。
【請求項２】
前記メッセージは調整メッセージである、請求項１に記載の方法。
【請求項３】
前記複数のリソースはリソースグリッドに対応する、請求項１又は２に記載の方法。
【請求項４】
前記リソースグリッドにおける各リソースは、前記ビット系列におけるビットインデクスによって特定される、請求項３に記載の方法。
【請求項５】
前記ビット系列において値０を有する各ビットが、前記第２のネットワークノードによって利用可能な前記１つ以上のリソースのうちの特定の１つに対応する、請求項１から４のいずれか１項に記載の方法。
【請求項６】
前記ビット系列において値１を有するビットが、前記第１のネットワークノードによって使用されるリソースに対応する、請求項１から５のいずれか１項に記載の方法。
【請求項７】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項１から６のいずれか１項に記載の方法。
【請求項８】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項７に記載の方法。
【請求項９】
前記第１の値は１であり、前記第２の値は０であり、前記第１の値および前記第２の値はビットによって与えられる、請求項８に記載の方法。
【請求項１０】
前記第１のＲＡＴはマスタＲＡＴであり、前記第２のＲＡＴはセカンダリＲＡＴであり、前記１つ以上のリソースが、前記第２のネットワークノードへ前記メッセージを送信することに先立って、前記第１のネットワークノードに割り当てられる、請求項１から９のいずれか１項に記載の方法。
【請求項１１】
前記メッセージは、前記第２のＲＡＴによって前記１つ以上のリソースが使用される合意時間期間を含む、請求項１から１０のいずれか１項に記載の方法。
【請求項１２】
前記第１のネットワークノードが、前記第２のネットワークノードから、要求されるリソースの量を示す要求を受信することをさらに有し、
前記第２のネットワークノードによる使用のために決定された前記１つ以上のリソースは、前記要求される量のリソースを含む、
請求項１から１１のいずれか１項に記載の方法。
【請求項１３】
前記第１のネットワークノードが、前記第２のネットワークノードから、前記１つ以上のリソースを示す要求を受信することと、
前記要求に応答して前記メッセージを送信することと、
をさらに有する請求項１から１１のいずれか１項に記載の方法。
【請求項１４】
前記メッセージは、オーバーラッピング制御及び参照信号（ＯＣＲＳ）信号と関連すると共に前記１つ以上のリソースから除外される１つ以上の追加のリソースをさらに含む、請求項１から１３のいずれか１項に記載の方法。
【請求項１５】
コンピュータ上で実行されるときに、請求項１から１４のいずれか１項に記載の方法を実行する命令を有するコンピュータプログラムを含んだコンピュータプログラム媒体。
【請求項１６】
第１の無線アクセス技術（ＲＡＴ）に関連する第１のネットワークノード（１６０）であって、前記第１のネットワークノードは、
第２のＲＡＴに関連する第２のネットワークノード（１６０）による使用のための、複数のリソースのうちの１つ以上のリソースを前記第１のネットワークノードが決定し、ここで、前記複数のリソースはビット系列によって表現され、かつ、前記第１のＲＡＴと前記第２のＲＡＴは重複するスペクトルを用い、
前記第２のネットワークノードによって利用可能な前記１つ以上のリソースが特定された前記ビット系列を含んだメッセージを、前記第２のネットワークノードへ送信する、
ように動作可能な処理回路（１７０）を有する第１のネットワークノード。
【請求項１７】
前記メッセージは調整メッセージである、請求項１６に記載の第１のネットワークノード。
【請求項１８】
前記複数のリソースはリソースグリッドに対応する、請求項１６又は１７に記載の第１のネットワークノード。
【請求項１９】
前記リソースグリッドにおける各リソースは、前記ビット系列におけるビットインデクスによって特定される、請求項１８に記載の第１のネットワークノード。
【請求項２０】
前記ビット系列において値０を有する各ビットが、前記第２のネットワークノードによって利用可能な前記１つ以上のリソースのうちの特定の１つに対応する、請求項１６から１９のいずれか１項に記載の第１のネットワークノード。
【請求項２１】
前記ビット系列において値１を有するビットが、前記第１のネットワークノードによって使用されるリソースに対応する、請求項１６から２０のいずれか１項に記載の第１のネットワークノード。
【請求項２２】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項１６から２１のいずれか１項に記載の第１のネットワークノード。
【請求項２３】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項２２に記載の第１のネットワークノード。
【請求項２４】
前記第１の値は１であり、前記第２の値は０であり、前記第１の値および前記第２の値はビットによって与えられる、請求項２３に記載の第１のネットワークノード。
【請求項２５】
前記第１のＲＡＴはマスタＲＡＴであり、前記第２のＲＡＴはセカンダリＲＡＴであり、前記１つ以上のリソースが、前記第２のネットワークノードへ前記メッセージを送信することに先立って、前記第１のネットワークノードに割り当てられる、請求項１６から２４のいずれか１項に記載の第１のネットワークノード。
【請求項２６】
前記メッセージは、前記第２のＲＡＴによって前記リソースが使用される合意時間期間を含む、請求項１６から２５のいずれか１項に記載の第１のネットワークノード。
【請求項２７】
前記処理回路は、前記第２のネットワークノードから、要求されるリソースの量を示す要求を受信するようにさらに動作可能であり、
前記第２のネットワークノードによる使用のために決定された前記１つ以上のリソースは、前記要求される量のリソースを含む、
請求項１６から２６のいずれか１項に記載の第１のネットワークノード。
【請求項２８】
前記処理回路は、前記第２のネットワークノードから、前記１つ以上のリソースを示す要求を受信し、
前記要求に応答して前記メッセージを送信する、
ようにさらに動作可能である、請求項１６から２６のいずれか１項に記載の第１のネットワークノード。
【請求項２９】
前記メッセージは、オーバーラッピング制御及び参照信号（ＯＣＲＳ）信号と関連すると共に前記１つ以上のリソースから除外される１つ以上の追加のリソースをさらに含む、請求項１６から２８のいずれか１項に記載の第１のネットワークノード。
【請求項３０】
第１の無線アクセス技術（ＲＡＴ）に関連する第１のネットワークノード（１６０）と第２のＲＡＴに関連する第２のネットワークノード（１６０）との間でのリソース割り当てのための方法であって、前記第１のＲＡＴと前記第２のＲＡＴは重複するスペクトルを用い、前記方法は、
前記第１のネットワークノードから、前記第２のネットワークノードによる使用のための、複数のリソースのうちの１つ以上のリソースを示すビット系列を含んだメッセージを受信することと、
前記ビット系列において示される前記１つ以上のリソースを用いることと、
を含む方法。
【請求項３１】
前記メッセージは調整メッセージである、請求項３０に記載の方法。
【請求項３２】
前記複数のリソースはリソースグリッドに対応する、請求項３０又は３１に記載の方法。
【請求項３３】
前記リソースグリッドにおける各リソースは、前記ビット系列におけるビットインデクスによって特定される、請求項３２に記載の方法。
【請求項３４】
前記ビット系列において値０を有する各ビットが、前記第２のネットワークノードによって利用可能な前記１つ以上のリソースのうちの特定の１つに対応する、請求項３０から３３のいずれか１項に記載の方法。
【請求項３５】
前記ビット系列において値１を有するビットが、前記第１のネットワークノードによって使用されるリソースに対応する、請求項３０から３３のいずれか１項に記載の方法。
【請求項３６】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項３０から３５のいずれか１項に記載の方法。
【請求項３７】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項３６に記載の方法。
【請求項３８】
前記第１の値は１であり、前記第２の値は０であり、前記第１の値および前記第２の値はビットによって与えられる、請求項４９に記載の方法。
【請求項３９】
前記第１のＲＡＴはマスタＲＡＴであり、前記第２のＲＡＴはセカンダリＲＡＴであり、前記１つ以上のリソースが、前記第２のネットワークノードによって前記メッセージが受信されることに先立って、前記第１のネットワークノードに割り当てられる、請求項３０から３８のいずれか１項に記載の方法。
【請求項４０】
前記メッセージは、前記第２のＲＡＴによって前記１つ以上のリソースが使用される合意時間期間を含む、請求項３０から３９のいずれか１項に記載の方法。
【請求項４１】
前記第１のネットワークノードへ、所望のリソースの量を示す要求を送信することをさらに有し、
前記メッセージにおいて前記第２のネットワークノードによる使用のために示された前記１つ以上のリソースは、前記所望の量のリソースを含む、
請求項３０から４０のいずれか１項に記載の方法。
【請求項４２】
前記第１のネットワークノードへ、前記１つ以上のリソースを示す要求を送信することと、
前記要求に応答して前記メッセージを受信することと、
をさらに有する、請求項３０から４０のいずれか１項に記載の方法。
【請求項４３】
前記メッセージは、オーバーラッピング制御及び参照信号（ＯＣＲＳ）信号と関連すると共に前記１つ以上のリソースから除外される１つ以上の追加のリソースをさらに含む、請求項３０から４２のいずれか１項に記載の方法。
【請求項４４】
コンピュータ上で実行されるときに、請求項３０から４３のいずれか１項に記載の方法を実行する命令を有するコンピュータプログラムを含んだコンピュータプログラム媒体。
【請求項４５】
第１の無線アクセス技術（ＲＡＴ）に関連する第１のネットワークノード（１６０）であって、前記第１のネットワークノードは、
第２のＲＡＴに関連する第２のネットワークノード（１６０）から、前記第１のネットワークノードによる使用のための、複数のリソースのうちの１つ以上のリソースを示すビット系列を含んだメッセージを受信し、ここで、前記第１のＲＡＴと前記第２のＲＡＴは重複するスペクトルを用い、
前記ビット系列によって示された前記１つ以上のリソースを使用する、
ように動作可能な処理回路（１７０）を有する、第１のネットワークノード。
【請求項４６】
前記メッセージは調整メッセージである、請求項４５に記載の第１のネットワークノード。
【請求項４７】
前記複数のリソースはリソースグリッドに対応する、請求項４５又は４６に記載の第１のネットワークノード。
【請求項４８】
前記リソースグリッドにおける各リソースは、前記ビット系列におけるビットインデクスによって特定される、請求項４７に記載の第１のネットワークノード。
【請求項４９】
前記ビット系列において値０を有する各ビットが、前記第２のネットワークノードによって利用可能な前記１つ以上のリソースのうちの特定の１つに対応する、請求項４５から４８のいずれか１項に記載の第１のネットワークノード。
【請求項５０】
前記ビット系列において値１を有する各ビットが、前記第１のネットワークノードによって使用されるリソースに対応する、請求項４５から４９のいずれか１項に記載の第１のネットワークノード。
【請求項５１】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項４５から５０のいずれか１項に記載の第１のネットワークノード。
【請求項５２】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項５１に記載の第１のネットワークノード。
【請求項５３】
前記第１の値は１であり、前記第２の値は０であり、前記第１の値および前記第２の値はビットによって与えられる、請求項５２に記載の第１のネットワークノード。
【請求項５４】
前記第１のＲＡＴはマスタＲＡＴであり、前記第２のＲＡＴはセカンダリＲＡＴであり、前記１つ以上のリソースは、前記第２のネットワークノードによる前記メッセージの受信に先立って、前記第１のネットワークノードに割り当てられる、請求項４５から５３のいずれか１項に記載の第１のネットワークノード。
【請求項５５】
前記メッセージは、前記リソースが前記第２のＲＡＴによって使用されうる合意時間期間を含む、請求項４５から５４のいずれか１項に記載の第１のネットワークノード。
【請求項５６】
前記処理回路は、前記第１のネットワークノードへ、所望のリソースの量を示す要求を送信するように動作可能であり、
前記メッセージにおいて前記第２のネットワークノードによる使用のために示された前記１つ以上のリソースは、前記所望の量のリソースを含む、請求項４５から５５のいずれか１項に記載の第１のネットワークノード。
【請求項５７】
前記処理回路は、
前記第１のネットワークノードへ、前記１つ以上のリソースを示す要求を送信し、
前記要求に応答して前記メッセージを受信する
ようにさらに動作可能である、請求項４５から５５のいずれか１項に記載の第１のネットワークノード。
【請求項５８】
前記メッセージは、オーバーラッピング制御及び参照信号（ＯＣＲＳ）信号と関連すると共に前記１つ以上のリソースから除外される１つ以上の追加のリソースをさらに含む、請求項４５から５７のいずれか１項に記載の第１のネットワークノード。
【発明の詳細な説明】
【背景技術】
【０００１】
本願は２０１８年１月２２日に出願し、「ＲＡＮインタフェースを超えるリソース割り当ての管理及び通知制御」と題した米国仮出願第６２／６２０１９７の優先権を主張するものであり、ここに、参照することによってその開示を組み込む。
【０００２】
概して、ここで用いるすべての用語は、それが使用されている文章から異なる意味が明らかに与えられない限り及び／又は暗示されない限り、その関連する技術分野におけるそれらの通常の意味に従って解釈されるべきである。要素、装置、成分、手段、ステップ等に対する全ての参照は、別の方法で明確に言及しない限りは、その要素、装置、成分、手段、ステップ等の少なくとも１つの例に対する参照として率直に解釈されるべきである。ここで開示されるいずれかの方法のステップは、ステップが他のステップに続く又は先行するように明示的に説明されない限りは及び／又はそこでステップが他のステップに続く又は先行しなければならないことが暗示されない限りは、開示される正確な順序で実行される必要はない。ここで開示される実施形態のいずれかの特徴は、いずれも、適切である限りは、他のいずれかの実施形態に適用されてもよい。同様に、その実施形態のいずれかの利点は、いずれも、他のいずれかの実施形態に適用されうるし、逆もしかりである。含まれる実施形態の他の目的、特徴、および利点は、以下の説明から明らかになるだろう。
【０００３】
図１は、ＴＳ３８．４０１において説明されている、現在の５Ｇ無線アクセスネットワーク（ＲＡＮ）のアーキテクチャを図解している。次世代（ＮＧ）アーキテクチャは、さらに、以下のように説明することができる：
・ＮＧ−ＲＡＮは、ＮＧを通じて、５Ｇコアネットワーク（５ＧＣ）に接続される次世代のＮｏｄｅＢ（ｇＮＢ）のセットから成る。
・あるｇＮＢは、周波数分割複信（ＦＤＤ）モード、時分割複信（ＴＤＤ）モード、またはデュアルモード動作をサポートすることができる。
・ｇＮＢは、Ｘｎインタフェースを通じて相互接続されうる。
・あるｇＮＢは、ｇＮＢ−セントラルユニット（ｇＮＢ−ＣＵ）とｇＮＢディストリビューテッドユニット（ｇＮＢ−ＤＵ）とから構成されうる。
・ｇＮＢ−ＣＵとｇＮＢ−ＤＵは、Ｆ１論理インタフェースを介して接続される。
・１つのｇＮＢ−ＤＵは、１つのｇＮＢ−ＣＵのみに接続される。
【０００４】
ＮＧ、ＸｎおよびＦ１は、論理インタフェースである。ＮＧ−ＲＡＮに対して、ｇＮＢ−ＣＵ及びｇＮＢ−ＤＵから構成されるｇＮＢのためのＮＧ及びＸｎ−Ｃインタフェースは、ｇＮＢ−ＣＵにおいて終端する。ＥＮ−ＤＣに対して、ｇＮＢ−ＣＵ及びｇＮＢ−ＤＵから構成されるｇＮＢのためのＳ１−Ｕ及びＸ２−Ｃインタフェースは、ｇＮＢ−ＣＵにおいて終端する。ｇＮＢ−ＣＵと接続されるｇＮＢ−ＤＵは、他のｇＮＢ及び５ＧＣにはｇＮＢに見えるのみである。
【０００５】
ＮＧ−ＲＡＮは、無線ネットワークレイヤ（ＲＮＬ）とトランスポートネットワークレイヤ（ＴＮＬ）にレイヤ化される。ＮＧ−ＲＡＮアーキテクチャは、すなわちＮＧ−ＲＡＮ論理ノード及びそれらの間のインタフェースは、ＲＮＬの一部として定義される。各ＮＧ−ＲＡＮインタフェース（ＮＧ、Ｘｎ、Ｆ１）に対して、関連するＴＮＬプロトコル及び機能性が特定される。ＴＮＬは、ユーザプレーンのトランスポートとシグナリングのトランスポートのためのサービスを提供する。ＮＧ−Ｆｌｅｘ設定において、各ｇＮＢは、アクセス及びモビリティ管理機能（ＡＭＦ）領域の範囲内のすべてのＡＭＦに接続される。ＡＭＦ領域は３ＧＰＰ  ＴＳ２３．５０１において定義されている。
【０００６】
将来の展開において、２つの異なる無線アクセス技術（ＲＡＴ）の基地局が、スペクトル共有シナリオにおいて、すなわち、（全部または部分的に）重複する周波数帯域にわたって、展開されうる。この設定において、２つの基地局（すなわちＲＡＴ）のカバレッジエリアは、全部または部分的に重複しうる。マルチＲＡＴリソース共用において検討されるべき重要な見地は、多数の常時オンの参照信号及び制御信号の存在である。さらに、常時オンではないが効率的なネットワークオペレーションを保証するために時に送信されるべき参照信号および制御信号が存在しうる。これらの信号の送信は、同様に、スペクトル共有シナリオにおいて、それらの対応するＲＡＴに現在割り当てられていない時間−周波数リソースグリッドの部分を重ねうる。ここで説明するように、２つの上述の種類の信号を、オーバーラッピング制御及び参照信号（ＯＣＲＳ）と表記するものとする。
【０００７】
ロングタームエボリューション（ＬＴＥ）及びＮｅｗ  Ｒａｄｉｏ（ＮＲ）における物理レイヤの伝送は、下りリンクにおいて直交周波数分割多重（ＯＦＤＭ）を使用し、ＬＴＥは、上りリンクにおいて常に離散フーリエ変換スプレッド（ＤＦＴスプレッド）ＯＦＤＭを使用するのに対し、ＮＲは、ＯＦＤＭ又はＤＦＴスプレッドＯＦＤＭのいずれかに設定可能でありうる。図２は、基本的なＬＴＥ及びＮＲの物理リソースストラクチャを、各リソースエレメントが１つのＯＦＤＭシンボル間隔の間の１つのサブキャリアに対応する時間−周波数グリッドとして、図解している。ＬＴＥ下りリンク物理リソースのサブキャリア間隔は１５ｋＨｚである。
【０００８】
時間領域において、ＬＴＥ下りリンク伝送は、１０ｍｓの無線フレームに編成され、各無線フレームは、１０個の等しいサイズの、１ｍｓのサブフレームからなる。サブフレームは２つのスロットに分割され、それぞれが０．５ｍｓの時間区間となる。図３は、ＬＴＥの時間領域ストラクチャを図解している。
【０００９】
ＬＴＥにおけるリソース割り当ては、リソースブロック（ＲＢ）を単位として説明され、ここで、ＲＢは、時間領域における１スロット及び周波数領域における１２個の連続する１５ｋＨｚサブキャリアに対応する。時間において連続する２つのＲＢが、ＲＢペア又はＰＲＢを表し、スケジューリングが動作する時間間隔に対応する。
【００１０】
時間領域において、ＮＲ下りリンク伝送は、１０ｍｓの無線フレームに編成され、各無線フレームは、１０個の等しいサイズの、１ｍｓのサブフレームからなる。サブフレームは、それぞれが設定可能な時間区間１、２、４、８、または１６個のスロットに分割される。図４は、ＮＲの時間領域ストラクチャを図解している。
【００１１】
ＮＲにおけるリソース割り当ては、リソースブロック（ＲＢ）の単位で説明され、ここで、ＲＢは、時間領域における１つのスロットと周波数領域においてそのサブキャリア帯域幅が設定可能な１２個の連続するサブキャリアに対応する。下記参照。
【００１２】
ＮＲでは、ユーザ端末（ＵＥ）に供される帯域幅はＵＥ固有であり、それでもなお、異なる最大帯域幅を受信する能力を有する２つのＵＥに同一のキャリアバンドによってサービスが提供されうる。ＵＥが現在サービスを提供されている帯域幅の部分である単位、Ｂａｎｄｗｉｄｔｈ  ｐａｒｔ（ＢＷＰ）が導入されている。例えば、キャリアは、１００ＭＨｚの帯域幅を有しうるが、他のＵＥがフルで１００ＭＨｚのＢＷＰを使用することができる一方で、複雑性の低いＵＥは、１５ＭＨｚのＢＷＰで動作するのみでありうる。所与のＵＥに、狭い（例えば１５ＭＨｚの）ＢＷＰと広い（例えば１００ＭＨｚの）ＢＷＰが並行して設定され、一方で、ある時刻においてその設定されたＢＷＰのうちの１つのみをアクティブとすることも可能である。これは、ＵＥが、大きいデータ転送の必要がない時にはバッテリを節約することを可能とするが、多量のデータを送信または受信する必要がある場合には大きいＢＷＰに迅速に切り替えることができる。
【００１３】
ＮＲは、ＯＦＤＭベースの波形に基づいているが、固定された１５ｋＨｚのサブキャリア間隔及び１ｍｓ長のサブフレームを有するＬＴＥと比して、調整されるヌメロロジが導入され、ここではパラメータμを用いて、所与のＢａｎｄｗｉｄｔｈ  ｐａｒｔに対して、Δｆ＝２μ・１５［ｋＨｚ］のサブキャリアが設定される。以下の表１は、ＮＲ  Ｒｅｌ−１４においてサポートされているサブキャリア間隔を示している。
2021520666.tif 000003
サブキャリア間隔が増加すると、ＯＦＤＭシンボル時間は比例的に減少する。
【００１４】
ＬＴＥでは、サブキャリアは１ｍｓの長さであり、ＰＤＳＣＨ又はＰＵＳＣＨを送信するのに使用され、すなわち、これはデータトランスポートブロックのためのＴＴＩであり、一方で、ＮＲにおける対応する大きさは、ヌメロロジμで調整されるスロットである。したがって、ＯＦＤＭスロット時間は、Ｔ＝２−μ・１［ｍｓ］であり、スロットごとのシンボルの数は表２によって与えられる。
2021520666.tif 000004
【００１５】
表２において、μ＝０の場合、フレームは１０スロットを有することが分かる。すなわち、サブキャリア間隔がＬＴＥにおけるフレームと同じ１５ｋＨｚである場合、しかし、表１によってサブキャリア間隔が１２０ｋＨｚであるμ＝３に対して、フレームごとに、すなわち、１０ｍｓごとに８０スロットが存在する。ある意味で、ＮＲにおけるスロットは、ＬＴＥにおけるサブフレームと等しい。しかしながら、ＮＲも、ヌメロロジにかかわらず常に１ｍｓであるサブフレームを有しており、しかし、サブフレームは、１ｍｓに１度の「クロック」として役立ち、上位レイヤ設定に役立ちうることを除いて、ＮＲ物理レイヤにおいて特定の関連性を有しない。さらに、ＮＲは、常に１０ｍｓのフレームを有する。
【００１６】
まとめると、各フレーム及びサブフレームは、常に固定時間区間（１０ｍｓ及び１ｍｓ）を有し、一方で、スロットは、ヌメロロジに依存して、Ｔ＝２−μ・１［ｍｓ］に従う時間区間を有する。
【００１７】
さらに、ＮＲは、サブキャリア間隔を１５ｋＨｚより大きくなるように変更することによって部分的に得られるが、より大きい総数のサブキャリアが使用可能であることにも部分的に起因して、ＬＴＥと比して大きい最大キャリア（又はＢＷＰ）帯域幅をサポートする。例えば、ＮＲでは、３３００に至るサブキャリアがサポートされる。これは、２７５個に至る、それぞれが１２サブキャリアを有する物理リソースブロック（ＲＢ）をキャリアが有しうることを意味する。
【００１８】
各ヌメロロジ及びキャリアに対して、ＮRB,xμＮscRB個のサブキャリアおよびＮsymbsubframe,μＯＦＤＭシンボルのリソースグリッドが定義され、ここで、それぞれ、ＮRB,xμは表３によって与えられ、ｘは、下りリンク（ＤＬ）又は上りリンク（ＵＬ）である。なお、同期信号が送信されなければならないことおよび２０ＲＢ帯域幅を有することに起因して、最小帯域幅も存在する。
2021520666.tif 000005
【００１９】
表２および表３を用いると共に、２７５ＲＢの最大帯域幅を仮定することにより、無線フレームごとのＲＢの最大数を計算することができる。例えば、μ＝０の場合、無線フレームごとに１０×２７５＝２７５０ＲＢが存在する。一方で、μ＝３の場合、最大で、８０×２７５＝２２０００ＲＢが存在する。
【００２０】
現在、確かな課題が存在する。現時点で、ＲＡＮ感無線リソース共用に対する既存の解決策はない。２つのノードが共通して共有するスペクトルに渡って使用されるべきリソースを調整する必要がある場合、リソース割り当ての調整のために使用されるシグナリングが、関係するＲＡＴ間でどのようにリソースが分配されるかを示す情報を含むべきである。解決すべき１つの問題は、どのように、まず、それ自身のリソースの割り当てを決定し、続いて他のＲＡＴに使用されうるリソースの範囲を提供する、ＲＡＴの役割を定めるかである。
【００２１】
別の重要な視点は、２つのＲＡＴ間で交換されるメッセージにおいてリソース割り当てを表現する方法である。ＬＴＥ−ＮＲの共存の場合を例として取り上げると、ここまで使用されている簡単な方法は、ＰＲＢが最小のスケジューリング可能なリソースの単位であるため、使用される／使用されないＰＲＢの単位でリソース割り当てを表現することである。しかしながら、ＬＴＥにおけるＯＣＲＳ信号の送信は、単一のＯＦＤＭシンボル程度を占有しうる。これは、ＬＴＥのＯＣＲＳ信号がＮＲに割り当てられているＰＲＢ内で送信されるべき場合に、それがそのＰＲＢの少数のＯＦＤＭシンボルのみを占有しうること、ここで、ＰＲＢの残りがＮＲによってなおも使用可能であることを意味する。したがって、問題は、割り当てられるリソースのＰＲＢごとの表現は、ＰＲＢ内で使用されていない残りのシンボルをセカンダリＲＡＴが使用することをこのような表現が可能としないため、十分ではないことである。一方で、リソース割り当ての指示メッセージのエンコーディングがシンボルレベルの粒度でなされる場合、各ＰＲＢにおけるすべてのシンボルの表現に起因して、シグナリングオーバーヘッドが大きくなり、メッセージ構成が複雑になる結果をもたらす。
【発明の概要】
【００２２】
ここで提案するように、ここで開示される問題の１つ以上を解決する様々な実施形態がある。１つの例として、スペクトル共有シナリオにおいて動作する２つの異なる無線アクセス技術（ＲＡＴ）に属している基地局間で交換される無線リソース割り当て表示の単純化された表現のための方法が開示される。
【００２３】
ある実施形態によれば、第１のＲＡＴに関連する第１のネットワークノードと第２のＲＡＴに関連する第２のネットワークノードとの間のリソース割り当てのための方法が提供され、ここで第１のＲＡＴと第２のＲＡＴとが重複するスペクトルを使用する。本方法は、第１のネットワークノードによって、第２のネットワークノードによる使用のための複数のリソースののうちの１つ以上のリソースを決定することを含む。この複数のリソースは、ビット系列によって表現される。メッセージが第２のネットワークノードへ送信される。本メッセージは、第２のネットワークノードによる使用のための１つ以上のリソースが示されるビット系列を含む。
【００２４】
いくつかの実施形態では、そのメッセージは、調整メッセージでありうる。いくつかの実施形態では、複数のリソースは、リソースグリッドに対応しうる。いくつかの実施形態では、リソースグリッドにおける各リソースは、ビット系列におけるビットインデクスによって識別されうる。いくつかの実施形態では、ビット系列における値０を有する各ビットは、第２のネットワークノードによって使用可能な１つ以上のリソースのうちの特定の１つに対応しうる。いくつかの実施形態では、ビット系列における値１を有するビットは、第１のネットワークノードによって使用されるリソースに対応しうる。
【００２５】
ある実施形態によれば、第１のＲＡＴに関連する第１のネットワークノードは、第２のＲＡＴに関連する第２のネットワークノードによる使用のための、複数のリソースのうちの１つ以上のリソースを決定するように動作可能な処理回路を含む。複数のリソースはビット系列によって表現され、第１のＲＡＴおよび第２のＲＡＴは重複するスペクトルを使用し、第２のネットワークノードへ、第２のネットワークノードによる使用のための１つ以上のリソースが示されるビット系列を含んだメッセージが送信される。
【００２６】
ある実施形態によれば、第１のＲＡＴに関連する第１のネットワークノードと第２のＲＡＴに関連する第２のネットワークノードとの間のリソース割り当ての方法が提供される。第１のＲＡＴおよび第２のＲＡＴは重複するスペクトルを使用し、本方法は、第２のネットワークノードによる使用のための複数のリソースのうちの１つ以上のリソースを示すビット系列を含んだビット系列を含んだメッセージを第１のネットワークノードから受信することと、そのビット系列において示された１つ以上のリソースを使用することとを含む。
【００２７】
ある実施形態によれば、第１のＲＡＴに関連する第１のネットワークノードは、第２のネットワークノードによる使用のための複数のリソースのうちの１つ以上のリソースを示すビット系列を含んだメッセージを第２のＲＡＴに関連する第１のネットワークノードから受信するように動作可能な処理回路を含む。第１のＲＡＴと第２のＲＡＴは重複するスペクトルを使用する。処理回路は、さらに、ビット系列によって示された１つ以上のリソースを使用可能である。
【００２８】
ある実施形態は、以下の技術的利点の１つ以上を提供しうる。１つの例として、ある実施形態は、効率的かつ簡単な方法で、同一の時間・周波数リソースを共有するＲＡＴのノード間でリソース調整のための情報を交換する問題を有利に解決しうる。別の例として、ある実施形態は、スペクトル共有シナリオにおいて、２つの異なるＲＡＴの基地局間で交換される無線リソース割り当て調整情報の符号化を処理する方法を提供しうる。スペクトルが異なるＲＡＴ間で共有されない今日のモバイルネットワークにおいては関心のあるシナリオが存在しない。また別の例として、ある実施形態は、リソースグリッドの成熟した表現が使用されるべき場合と比して、協調メッセージのサイズをより小さくするリソース割り当ての表現を可能としうる。このように、別の技術的利点は、情報がより簡単な構造を取ることによる、情報のより効率的な処理でありうる。
【図面の簡単な説明】
【００２９】
開示された実施形態およびその特徴並びに利点をより十分に理解するために、ここでは、以下の説明を添付の図面と併せて参照する。
【図１】ＴＳ３８．４０１において説明されている現在の５Ｇ  ＲＡＮアーキテクチャを示す図である。
【図２】１つのＯＦＤＭシンボル間隔の間の１つのサブキャリアに各リソースエレメントが対応する時間・周波数グリッドとして、基本的なＬＴＥおよびＮＲ物理リソースストラクチャを示した図である。
【図３】ＬＴＥの時間領域のストラクチャを示す図である。
【図４】ＮＲの時間領域のストラクチャを示す図である。
【図５】ある実施形態による、重複するスペクトルを用いたネットワークノード間のリソース割り当てのための例示のネットワークを示す図である。
【図６】ある実施形態による、重複するスペクトルを使用するネットワークノード間のリソース割り当てのための例示のネットワークノードを示す図である。
【図７】ある実施形態による、重複するスペクトルを使用するネットワークノード間のリソース割り当てのための例示の無線デバイスを示す図である。
【図８】ある実施形態による、重複するスペクトルを使用するネットワークノード間のリソース割り当てのための例示のユーザ端末（ＵＥ）を示す図である。
【図９】ある実施形態による、いくつかの実施形態によって実装される機能が仮想化されうる例示の仮想化環境を示す図である。
【図１０】ある実施形態による、重複するスペクトルを使用するネットワークノード間のリソース割り当てのためのネットワークノードによる例示の方法を示す図である。
【図１１】ある実施形態による、重複するスペクトルを使用するネットワークノード間のリソース割り当てのための例示の仮想演算デバイスを示す図である。
【図１２】ある実施形態による、重複するスペクトルを使用するネットワークノード間のリソース割り当てのためのネットワークノードによる別の例示の方法を示す図である。
【図１３】ある実施形態による、重複するスペクトルを使用するネットワークノード間のリソース割り当てのための別の例示の仮想演算デバイスを示す図である。
【発明を実施するための形態】
【００３０】
本開示およびその実施形態のある態様は、上述のおよび他の課題に対する解決策を提供しうる。例えば、本開示の１つ以上の実施形態によって解決される課題は、無線リソース共有シナリオにおいて、１つのＲＡＴによって使用されるリソースをどのように表現し、異なるＲＡＴの２つの基地局間で交換されるべきリソース割り当てメッセージをどのように効率的に符号化するかでありうる。
【００３１】
例えば、ある実施形態によれば、２つの共同設置されたＲＡＴの基地局が重複するスペクトルを使用すると共に同時に送信又は受信を行っている場合に、それらのそれぞれのＤＬおよびＵＬ送信が相互に干渉する。ここで用いられるように、用語、共同設置は、重複するカバレッジエリアを有する２つの基地局を呼ぶ。これは、受信機性能を劣化させ、最終的には低い信号品質とビットレートの劣化を招きうる。重複するカバレッジエリアを有する（すなわち共同設置された）異なるＲＡＴに属する基地局間でのリソース共有を可能とするために、そのＲＡＴのための意図したリソース割り当てを表現する方法が提供される。これらの表現は、リソース調整の目的で、２つのＲＡＴの基地局間で交換される調整メッセージの内部に配置されるものとする。調整メッセージは、既存の手順又は新しい手順のいずれかを介して基地局間で交換されるものとする。
【００３２】
共同設置は、ここでは、物理的に同一の位置にある基地局を指すのには使用されない。したがって、ここで開示されるリソース割り当てのための技術は、物理的に同一の位置に配置された２つの異なるＲＡＴの２つの基地局間のリソース共有には限定されない。むしろ、本技術は、異なる２つのＲＡＴの２つの基地局のカバレッジエリアが重複するような、その２つの基地局の物理的な任意の配置に適用されうる。
【００３３】
ある実施形態によれば、開示される解決策は、調整メッセージを受信するノードは、セル識別子、キャリア周波数、および送信ノードの各セルによってサポートされている帯域幅を知っており、したがって、リソースグリッドの全体の寸法を知っていることを仮定しうる。ＬＴＥ−ＮＲ  ＲＡＴの例が検討される場合、リソースグリッドの全体は、ＰＲＢで測られうる。しかしながら、この例は限定するものでなく、２つの参加するＲＡＴによって共有される時間・周波数リソースの分割は、その参加するＲＡＴのいずれかのリソースブロックサイズに基づいてもよい。
【００３４】
ある実施形態によれば、２つの共同設置された基地局のうちの１つに対して、マスタＲＡＴ（ＭＲＡＴ）の役割が与えられてもよく、他方の基地局は、セカンダリＲＡＴ（ＳＲＡＴ）の役割を果たしてもよい。このシナリオでは、共有される無線リソースが当初はＭＲＡＴに属し、ここで、リソース共有の結果はＭＲＡＴがＳＲＡＴへ合意した時間の期間の間だけその無線リソースの一部を与え、これにより、合意期間として指定されることである。ここで説明するように、用語、リソースグリッドは、合意期間の間の共有を条件として、全ての時間・周波数リソースを示すものとする。
【００３５】
ある実施形態によれば、無線リソース共有に関連して、ＳＲＡＴは、特定の機会においてその所望のリソース（の量）をＭＲＡＴへ示す。ＭＲＡＴは、最終的に、合意した時間期間に対して、いずれのリソースをＭＲＡＴがＳＲＡＴへ貸すかについての決定を行う。ＭＲＡＴにおけるＯＣＲＳ信号の存在と、それらがＳＲＡＴに割り当てられたリソースの一部と（時間および周波数において）重なることに起因して、ＭＲＡＴは、これらのリソースのいずれの部分が（存在するならば）時折又は永続的にＳＲＡＴへの割り当てから除かれるべきであるかについても、ＳＲＡＴに示すこととなる。この例は、非制限的であり、参加しているＲＡＴのいずれかがどのようにリソースが分割されるかを決定する役割をとりえ、ここで、後方互換性は、あるＲＡＴに優先権を与える潜在的な理由の非拘束的な例である。しかしながら、単純化のために、この説明では、ＭＲＡＴがどのようリソースが分割されるかについての決定を行う権限を有することを仮定する。
【００３６】
ある実施形態について、ＬＴＥがＭＲＡＴでありＮＲがＳＲＡＴであるＬＴＥ−ＮＲスペクトル共有の例を用いて説明するが、開示される解決策はＬＴＥ  ＲＡＴおよびＮＲ  ＲＡＴに限定されない。
【００３７】
分析的ＰＲＢ記述（ＡＰＤ）とここで呼ばれうるある実施形態によれば、ｅＮＢは、ｇＮＢに対して、リソースグリッドのどの部分がｇＮＢに割り当てられるかを表示する。この表示から、ｇＮＢは、自身に割り当てられたリソースのすべてを構成するＰＲＢの全てを推測する。１つ以上のＬＴＥのＯＣＲＳ信号（存在するなら）が重なるｇＮＢのリソースにおける各ＰＲＢのために、ｅＮＢは、ｇＮＢへ、これらのＰＲＢ内の正確なシンボルのどれがＬＴＥ  ＯＣＲＳ送信によって占められているか、そしてｇＮＢへ割り当てられるリソースから除外されるかの表示を提供する。したがって、リソース割り当て表示におけるシンボルレベルの粒度はオプションであり、特定のＰＲＢにおけるＯＣＲＳ信号の存在を仮定している。このようなシンボルレベル粒度は、ＯＣＲＳが存在する、適切に特定されたＰＲＢに対してのみ提供される。
【００３８】
ここでは明示的ＰＲＢ記述（ＥＰＤ）と呼ばれうるある他の実施形態によれば、マスタおよびセカンダリＲＡＴ間で共有される時間・周波数リソースの全体の空間がＰＲＢの単位で表現される。ＭＲＡＴは、表現されたＰＲＢのいずれかが使用されるかを表示することができる。ＭＲＡＴによって使用されないＰＲＢは、適切にマークされる。例えば、ＰＲＢがビットとして表現される場合、値１が、ＭＲＡＴによってＰＲＢが使用されていることを意味し、一方で、値０が、ＰＲＢがＳＲＡＴによって使用されることを意味する。この実施形態では、その中でＯＣＲＳ信号が送信されるＰＲＢが、適切に特定される。これらのＰＲＢに対して、シンボルごとの詳細な表現が提供され、どのシンボルがＯＣＲＳ信号によって使用されるかおよびどれが他の信号によって自由に使用されるかを示す。
【００３９】
ある実施形態によれば、異なるＲＡＴの基地局間でのスペクトル共有において交換されるリソース割り当て情報は、セル固有でありうる。したがって、リソース割り当て情報は、セル全体に対して有効でありえ、（ＵＬ、ＤＬ又は両方で）所定の無線リソースが割り当てられたＲＡＴが、それ自身の都合のよいときに、例えばブロードキャスト、マルチキャスト又はそのセル内の特定のＵＥへの又はそのＵＥからの伝送などのために、これらのリソースを使用しうることを意味する。なお、補足的な方法で使用される、すなわち、必要に基づいて有効化され非有効化される、スペクトルにセルは関連しうる。ここでは、「セルリソース」によって、セルによって使用可能なリソースの全てを意図している。
【００４０】
先に述べたように、リソース共有におけるＭＲＡＴの優先権は非拘束的な例であり、参加しているＲＡＴのいずれがどのようにリソースが分割されるかを決定する役割を取ってもよい。単純化のために、本説明では、どのようにリソースが分割されるかについての決定を行う権限を有するものとする。ＭＲＡＴは、ＳＲＡＴに、合意された時間の期間に対して、帯域幅の全体又はその一部を割り当てうる。
【００４１】
ここで、分析的ＰＲＢ記述を介して表現される無線リソースの割り当てについて、より詳細に説明する。具体的には、特定の実施形態において、合意期間の間に共有されるべき無線リソースは、ＰＲＢの時間・周波数グリッドによって視覚的に表現されうる。ここで用いるように、各ＰＲＢ又は各ＲＥは、グリッドエレメントに対応しうる。ＬＴＥ  ＰＲＢを非拘束的な例として取り上げると、ＰＲＢのサイズは、周波数次元において１２×１５ｋＨｚ＝１８０ｋＨｚ、および時間次元において１ｍｓ（すなわち、１４ＯＦＤＭシンボル又は１サブフレームの時間区間）である。２０ＭＨｚのＬＴＥキャリアに対して、キャリア帯域幅において１１０ＰＲＢが存在する。したがって、リソースグリッドは１１０列を有する。特定の実施形態において、合意期間が４０サブフレームに等しい場合、ＰＲＢグリッドは４０行を有する。したがって、リソースグリッドの周波数次元のサイズは２つのＲＡＴ間で共有される帯域幅に等しく、ＰＲＢの対応する数で測られる。リソースグリッドの時間次元のサイズは合意期間に等しく、ＰＲＢの対応する数で測られる。
【００４２】
マルチＲＡＴリソース共有において、ＭＲＡＴは、ＰＲＢの粒度で、リソースグリッドの所定のエリアをＳＲＡＴへ割り当てる。ＳＲＡＴに割り当てられる（そして複数のＰＲＢから成る可能性がある）リソースグリッドの部分は、これにより、テリトリ（又はリソースエリア）として指定される。合意期間のリソースグリッドにおけるすべてのテリトリは、矩形であるか、矩形成分に分解できるかのいずれかであり、これにより、リソースレクタングラ（ＲＲ）として指定される。ＲＲは、少なくとも１つのＰＲＢから構成されうる。グリッドがＰＲＢから成り立ち、ここで、１つのＰＲＢが、定義上矩形であるリソースグリッドの１つのエレメントに対応するため、任意の非矩形テリトリがＲＲに分割可能である。ここで説明される表現はＰＲＢを考慮しているが、例えば５Ｇ  ＮＲ  ＲＡＴにおけるリソースブロックのように、時間・周波数リソースの任意の他の量に適用可能でありうることに留意されなければならない。
【００４３】
したがって、リソース割り当ては、テリトリをＲＲに分割して、リソースグリッドにおけるＲＲのそれぞれの座標を分析的に記述することによって記述されうる。矩形を２つの反対の頂点（非拘束的な例では左上および右下）の座標によって明確に定めることが可能であることを考えると、リソースグリッド内のＲＲを分析的に記述するために、それを構成するＰＲＢの２つの位置、すなわち、その２つの反対の頂点（非拘束的な例では左上および右下の頂点）に対応するものを表示すれば十分である。
【００４４】
グリッド内のＰＲＢの位置は垂直および水平座標により記述される。上述の図２からの非拘束的な例をとると、垂直座標が周波数に対応し、水平座標が時間に対応する。その場合に、垂直座標の範囲は共有される帯域幅にどれだけ多くのＰＲＢが収まるかに依存し、ここで、帯域幅の低い方の端部に位置するＰＲＢの垂直座標が１に等しい。２０ＭＨｚのＬＴＥキャリアの非拘束的な例において、ＰＲＢの垂直座標の範囲は、１から１１０になりうる。水平座標の範囲は、合意の区間に依存し、ＰＲＢの対応する数で測られ、ＬＴＥの場合において、サブフレームの数に等しい。最も低い時間および周波数座標を有するＰＲＢは、座標（１、１）を有し、リソースグリッドの左下の角に位置する。周波数の昇順において続くＰＲＢ（すなわち、増加する周波数座標）は、ＲＲ周波数範囲（すなわちＲＲ帯域幅、垂直範囲）が終わる点までの最初のＰＲＢと同一の時間座標を有し、続くＰＲＢが次に高い時間座標などから開始する。
【００４５】
特定の実施形態によれば、ＭＲＡＴは、ＳＲＡＴへ送信されるリソース割り当ての記述において、テリトリをＲＲに分解して、ＲＲ内の左上および右下のＰＲＢの座標を述べることにより各ＲＲを分析的に記述することにより、テリトリを指示しうる。
【００４６】
上述のように、ＯＣＲＳ信号のリソース割り当てがテリトリと重なりうるため、ＭＲＡＴは、テリトリおよびＲＲのどの部分が割り当てから除外されるかをＳＲＡＴへ示すべきである。これらの除外は、ＰＲＢの全体又はシンボルなどのＰＲＢの一部を含みうる。この開示の残りでは、ＲＲの構成要素であるがその一部が割り当てから除外されるＰＲＢがパンクチャされたＰＲＢとして指定されるものとする。
【００４７】
ある実施形態によれば、ＭＲＡＴは、パンクチャされたＰＲＢの全てをＳＲＡＴへ指示しうる。特定の実施形態において、このような情報をどのように指示するかの１つの例は、その特定のＲＲにおけるＰＲＢの数に等しい長さのビット系列表現を用いることである。ここで、そのビット系列の各ビットが、ＰＲＢを表し、ここで、系列の最初のビットに対応するＰＲＢは、最も低い時間および周波数座標を有する。周波数の増加順で続くＰＲＢ（すなわち、増加する周波数座標）は、ＲＲ周波数範囲（すなわちＲＲ帯域幅、垂直範囲）が終端する点まで、その最初のＰＲＢと同じ時間座標を有し、続くＰＲＢは次に高い時間座標から始まるなどである。ビット系列におけるパンクチャされたＰＲＢは値「１」により指示され、パンクチャされないＰＲＢは「０」により指示される。
【００４８】
ある実施形態によれば、パンクチャされたＰＲＢのそれぞれに対して、ＭＲＡＴは、ＳＲＡＴへ、ＰＲＢ内のシンボルの数に等しい長さのビット系列を送信する。ここで、ビット系列の各ビットは、ＰＲＢ内のシンボルを表し、ここで、系列の最初のビットに対応するシンボルは最も低い時間および周波数座標を有する。周波数の増加順に続くシンボル（すなわち増加する周波数座標）は、ＰＲＢの周波数範囲（すなわちＰＲＢ帯域幅）が終端する点まで最初のシンボルと同じ時間座標を有し、続くシンボルは次に高い時間座標から開始する、などである。ＳＲＡＴに割り当てられるリソースから除外され、ＯＣＲＳ信号の送信に使用されるべきシンボルの位置はビット値「１」により指示され、パンクチャされないものは「０」によって指示される。
【００４９】
ある実施形態によれば、調整メッセージは、以下の情報の一部または全部を含みうる。
・ＰＲＢの数で表される合意区間；
・リソースグリッドにおける全てのＲＲの座標（分析的表現）；
・リソースグリッドにおける各ＲＲに対する、そのＲＲ内のパンクチャされたＰＲＢの位置；
・すべてのＲＲにおけるすべてのパンクチャされたＰＲＢに対する、ＰＲＢ内のすべてのパンクチャされたシンボルの位置。
【００５０】
ＭｅＮＢからＳｇＮＢへ送信される例示の調整メッセージの内容を表４に示す。
2021520666.tif 000006
2021520666.tif 000007
2021520666.tif 000008
2021520666.tif 000009
【００５１】
ＡＰＤ実施形態の特定の実施形態では、テリトリが矩形構造によって禁じ可能である。この近似は、実際のＲＲと近似との間の差分を例えば含みうる近似の補正と共に、ＳＲＡＴに送信される。近似は、ＡＰＤ  ＲＲ記述方法を用いることにより表現されうるが、ＲＲ内のパンクチャされたＰＲＢを表すためのＡＰＤ機構を用いて補正（すなわち、実際のＲＲを取得するために近似から除外されるべきＰＲＢの全体）が指示されうる。シンボルのパンクチャリングは、ＡＰＤ実施形態から対応する方法を用いることにより表現されうる。
【００５２】
別の特定の実施形態では、テリトリ又はリソースエリアが１つの数字のインデクスによって表現されうる。これは、ＭＲＡＴとＳＲＡＴとの間の共有リソースの時間・周波数グリッドの全体をビット系列として表現することによって達成されてもよく、ここで、各ビットは、時間・周波数リソースの寸法の単位に対応する。このような寸法の単位は、例えば、１つのＰＲＢとして選択されうる。リソースグリッドにおける各ＰＲＢを、ビット系列におけるビットとして考えることができる。隣接するＰＲＢは、隣接するビットに関連付けられる。例えば、１ビット目が、最も低い時間および周波数座標、例えば（１、１）を有するＰＲＢに対応しうる。続くビットは、周波数の増加する順（すなわち増加する周波数座標）で、リソースグリッドの周波数範囲（すなわち、帯域幅、垂直範囲）が終端する点まで最初のＰＲＢと同じ時間座標のＰＲＢに対応する。続くＰＲＢは、次に高い時間座標から開始するなどである。この方法では、テリトリ又はリソースエリアが、左上のＰＲＢに対応するビットのインデクスおよび右下のＰＲＢに対応するビットのインデクスとして表現されうる。したがって、各ＲＲは、２つの数の集合によって解析的に表現されうる。各ＲＲに対して、これらの２つの数は、リソースグリッドのビット系列表現において区間が示され、各系列のビットはＰＲＢに対応する。ＬＴＥ−ＮＲスペクトル共有を非拘束的な例として取り上げ、リソースグリッドからビット系列へのＰＲＢ表現の事前に定められた変換を仮定すると、ビット系列中の１が連続して続くことは、サブフレーム内で、いくつかのＰＲＢを構成する連続する周波数帯域がＳＲＡＴに割り当てられる状況に対応する。ＡＰＤ実施形態からの対応する方法を用いることによって、シンボルパンクチャリングを表現することができる。
【００５３】
上述のように、ある別の実施形態によれば、無線リソースは、明示的な記述を介して表現されうる。ここで、明示的なＰＲＢ記述を介して表現される無線リソースの割り当てについて、より詳細に説明する。
【００５４】
具体的には、ある実施形態によれば、ＭＲＡＴとＳＲＡＴとの間で共有されるリソースのグリッドは、先の方法で説明された実施形態と同様に、ビット系列を介して表現されうる。したがって、リソースグリッドにおける各ＰＲＢは、ビット系列内のビットに対応するビットのインデクスによって特定されうる。ビットが「０」に設定される場合、対応するＰＲＢがＭＲＡＴによって使用されず、ＳＲＡＴが全部使用することができることを意味する。ビットが「１」でマークされる場合、対応するＰＲＢが全部又は部分的に使用されることを意味する。
【００５５】
この情報と併せて、ＭＲＡＴは、パンクチャされたＰＲＢの全ての表示をもＳＲＡＴへ送信しうる。これは、例えば、パンクチャされたＰＲＢに対応するビットインデクスをシグナリングすることによって達成されうる。このようなインデクスと併せて、ＭＲＡＴは、上述の実施形態のうちのいずれかで説明したように、パンクチャされたＰＲＢ内のすべてのシンボルを表すビット系列を提供しうる。ビット系列の各ビットは、シンボルを表現してもよく、ビットが「０」に設定される場合、シンボルは利用されない。対照的に、それが「１」に設定される場合、そのシンボルはＭＲＡＴによって使用される。これは、必要に応じて、使用されていないシンボルをＳＲＡＴが利用することを可能とする。
【００５６】
その情報がＭＲＡＴからＳＲＡＴへ送信されることが上述の例において説明されたが、他の実施形態では、その情報は、追加的に又は代替的に、ＳＲＡＴからＭＲＡＴへ送信されてもよい。したがって、上述の技術は、ＳＲＡＴがＭＲＡＴへ利用しているリソースを示すことを可能とするためにも使用されうる。
【００５７】
説明した技術は、同一の時間・周波数リソースを共有するＲＡＴのノード間でリソース調整のための情報を交換する問題を、効率的かつ簡単な方法で解決する。
【００５８】
また別の特定の実施形態では、ＳＲＡＴノードは、先の実施形態で説明されたものと同一であり、それにおいてＭＲＡＴノードによって割り当てられるストラクチャを使用することにより、ＭＲＡＴノードからの共有リソースの分割を要求しうる。この実施形態では、リソースグリッドにおける要求されたリソースの位置が、リソース割り当てメッセージおいて明示的に述べられる。ＳＲＡＴノードは、ＡＰＤ又はＥＰＤ手法によって規定される２つのメッセージ構造のいずれかを使用しうる。
【００５９】
また別の実施形態では、ＳＲＡＴノードは、そのようなリソースがセカンダリノードに割り当てられるべきか否かの最終決定をＭＲＡＴノードに残して、無線リソースの共有を要求しうる。セカンダリノードは、要求されたリソースの量が複数のサブフレームに対する各サブフレームにおいて許可されるべきであるか、又は複数のサブフレームにわたって許可されているリソースの統合した量として、示しうる。対応するメッセージストラクチャを以下の表５に示す。
2021520666.tif 000010
2021520666.tif 000011
2021520666.tif 000012
ここで説明される主題は任意の素敵な要素を用いて任意の適切なタイプのシステムにおいて実装されうるが、ここで開示される実施形態について、図５に図解される例示の無線ネットワークなどのネットワークに関連して、説明する。単純化のために、図５の無線ネットワークは、ネットワーク１０６と、ネットワークノード１６０および１６０ｂと、ＷＤ１１０のみを描画している。実際には、無線ネットワークは、さらに、無線デバイス間、又は無線デバイスと、固定電話、サービス提供者、又は任意の他のネットワークノードもしくはエンドデバイスなどの他の通信デバイスとの間の通信をサポートするのに適した、任意の追加の要素を含みうる。図解されている要素のうち、ネットワークノード１６０および無線デバイス（ＷＤ）１１０について、さらに詳細に描画する。無線ネットワークは、無線ネットワークへのアクセスと、無線ネットワークによってもしくはそれを介して提供されるサービスの使用と、を促進するように、１つ以上の無線デバイスへ、通信および他のタイプのサービスを提供しうる。
【００６０】
無線ネットワークは、任意のタイプの通信、電気通信、データ、セルラ、及び／又は、無線ネットワークもしくは他の同様のタイプのシステムを含み、及び／又は、インタフェース接続しうる。いくつかの実施形態では、無線ネットワークは、特定の標準もしくは他のタイプの所定のルール又は手順に従って動作するように構成されうる。このように、無線ネットワークの特定の実施形態は、移動体通信用グローバルシステム（ＧＳＭ）、ユニバーサル移動体通信システム（ＵＭＴＳ）、ロングタームエボリューション（ＬＴＥ）、及び／又は、他の適切な２Ｇ、３Ｇ、４Ｇ、もしくは５Ｇの標準などの通信標準；ＩＥＥＥ８０２．１１標準などの無線ローカルエリアネットワーク（ＷＬＡＮ）標準；及び／又は、マイクロ波アクセス用世界規模相互運用（ＷｉＭａｘ）、Ｂｌｕｅｔｏｏｔｈ、Ｚ−Ｗａｖｅ、及び／又はＺｉｇＢｅｅ標準などの他の適切な無線通信標準を実装しうる。
【００６１】
ネットワーク１０６は、デバイス間の通信を可能とする、１つ以上のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークを含みうる。
【００６２】
ネットワークノード１６０およびＷＤ１１０は、以下で詳細に説明される様々な要素を有する。これらの要素は、無線ネットワークにおける無線接続を提供することなどのネットワークノード及び／又は無線デバイスの機能を提供するために協働する。異なる実施形態において、無線ネットワークは、任意の数の有線又は無線のネットワーク、ネットワークノード、基地局、コントローラ、無線デバイス、中継局、及び／又は、有線接続と無線接続のいずれかを介したデータ及び／又は信号の通信を促進し又はそれに参加しうるシステム任意の他の要素もしくはシステムを有しうる。
【００６３】
図６は、ある実施形態による、重複するスペクトルを使用するネットワークノード間のリソース割り当てのための例示のネットワークノード１６０を図解している。ここで用いるように、ネットワークノードは、直接または間接的に無線デバイスと及び／又は他のネットワークノードと通信することが可能な、そのように構成された、そのように編成された、及び／又はそのように動作可能な設備、又は、無線デバイスへの無線アクセスを可能とする及び／又は提供するための、及び／又は、無線ネットワークにおける他の機能（例えばアドミニストレーション）を実行するための、無線ネットワーク内の設備を呼ぶ。ネットワークノード１６０の例は、アクセスポイント（ＡＰ）（例えば無線アクセスポイント）、基地局（ＢＳ）（例えば無線基地局、ノードＢ、エボルブドノードＢ（ｅＮＢ）、ｅＮＢリレー、ＮＲ  ノードＢ（ｇＮＢ））、又はＩＡＢノードを含むが、これに限られない。基地局は、それらの提供するカバレッジの量（又は別の言い方をすれば、その送信電力レベル）に基づいてカテゴライズされ、そして、フェムト基地局、ピコ基地局、マイクロ基地局、又はマクロ基地局と呼ばれうる。基地局は、リレーノード又は中継を制御するリレードナーノードであってもよい。ネットワークノード１６０は、セントラライズドデジタルユニット及び／又は遠隔無線ユニット（ＲＲＵ）、場合によってはリモートレディオヘッド（ＲＲＨ）と呼ばれる、などの分散無線基地局の部分のうちの１つ以上（又は全部）を含んでもよい。このような遠隔無線ユニットは、アンテナ集積無線機としてアンテナと集約されてもよいし、されなくてもよい。分散無線基地局の一部は、分散アンテナシステム（ＤＡＳ）のノードと呼ばれてもよい。ネットワークノードのまたさらなる例は、マルチスタンダード無線機（ＭＳＲ）ＢＳなどのＭＳＲ設備、無線ネットワーク制御装置（ＲＮＣ）や基地局制御装置（ＢＳＣ）などのネットワークコントローラ、基地局送受信装置（ＢＴＳ）、送信点、送信ノード、マルチセル／マルチキャスト調整エンティティ（ＭＣＥ）、コアネットワークノード（例えばＭＳＣ、ＭＭＥ）、Ｏ＆Ｍノード、ＯＳＳノード、ＳＯＮノード、測位ノード（例えばＥ−ＳＭＬＣ）、及び／又は、ＭＤＴを含む。別の例として、ネットワークノードは、以下で詳細に説明するように、仮想ネットワークノードであってもよい。その一方、より一般的には、ネットワークノードは、無線デバイスに無線ネットワークへのアクセスを可能とし及び／又は提供すること、又は、無線ネットワークへアクセスした無線デバイスに対してあるサービスを提供することが可能な、そのように構成された、そのように編成された、及び／又はそのように動作可能な、任意の適切なデバイス（又は一群のデバイス）を表しうる。
【００６４】
図６では、ネットワークノード１６０は、処理回路１７０、デバイス可読媒体１８０、インタフェース１９０、付属装置１８４、電源１８６、電力回路１８７、およびアンテナ１６２を含む。図６の例示の無線ネットワークにおいて図解されるネットワークノード１６０が図解されているハードウェア要素の組み合わせを含むデバイスを代表しうるが、他の実施形態は、異なる要素の組み合わせを有するネットワークノードを有してもよい。ネットワークノードは、ここで開示されるタスク、特徴、機能、および方法を実行するのに必要なハードウェア及び／又はソフトウェアの適切な組み合わせを有しうることが理解されるべきである。さらに、ネットワークノード１６０の要素がより大きいボックス内に配置された又は複数のボックス内に入れ子にされた単一のボックスによって描画されているが、実際には、ネットワークノードは、単一の図解された要素を構成する複数の異なる物理要素を含んでもよい（例えば、デバイス可読媒体１８０は、複数の別個のハードドライブおよび複数のＲＡＭモジュールを含んでもよい）。
【００６５】
同様に、ネットワークノード１６０は、それぞれがそれ自身の個別の要素を有しうる複数の物理的に分離した要素（例えばノードＢ要素とＲＮＣ要素、又はＢＴＳ要素とＢＳＣ要素、等）によって構成されうる。ネットワークノード１６０が複数の分離した要素（例えばＢＴＳおよびＢＳＣ要素）を含むあるシナリオでは、分離した要素の１つ以上が、いくつかのネットワークノード間で共有されてもよい。例えば、単一のＲＮＣが、複数のノードＢを制御してもよい。このようなシナリオでは、各固有のノードＢおよびＲＮＣのペアが、ある例において、単一の分離したネットワークノードと考えられてもよい。いくつかの実施形態では、ネットワークノード１６０は、複数の無線アクセス技術（ＲＡＴ）をサポートするように構成されうる。このような実施形態では、ある要素が重複してもよく（例えば異なるＲＡＴのための別個のデバイス可読媒体１８０）、ある要素が再利用されてもよい（例えば同一のアンテナ１６２がＲＡＴによって共有されうる）。また、ネットワークノード１６０は、例えばＧＳＭ、ＷＣＤＭＡ（登録商標）、ＬＴＥ、ＮＲ、ＷｉＦｉ、又はＢｌｕｅｔｏｏｔｈ無線技術などの、ネットワークノード１６０内に集積される異なる無線技術のための様々な説明される要素の複数のセットを含みうる。これらの無線技術は、ネットワークノード１６０内の同一のもしくは異なるチップ、チップのセットおよび他の要素に集積されうる。
【００６６】
処理回路１７０は、ネットワークノードによって提供されるような、ここで説明される、任意の決定、計算、又は、同様の動作（例えば所定の取得動作）を実行するように構成される。処理回路１７０によって実行されるこれらの動作は、例えば、取得した情報を他の情報に変換すること、取得した情報又は変換した情報をネットワークノードに記憶された情報と比較すること、及び／又は、取得した情報又は変換した情報に基づいて１つ以上の動作を実行すること、および、上述の処理の結果として判定を行うことによって、処理回路１７０により取得される処理情報を含みうる。
【００６７】
処理回路１７０は、単独で又はデバイス可読媒体１８０などの他のネットワークノード１６０の要素と併せて、ネットワークノード１６０の機能を提供するように動作可能な、マイクロプロセッサ、コントローラ、マイクロコントローラ、中央演算装置、デジタルシグナルプロセッサ、特定用途向け集積回路、フィールドプログラマブルゲートアレイ、又は任意の他の適切な演算デバイス、リソース、ハードウェア、ソフトウェア、及び／又は、エンコードされたロジックのうちの１つ以上についての組み合わせを含みうる。例えば、処理回路１７０は、デバイス可読媒体１８０に又は処理回路１７０内の目盛りに記憶された命令を実行しうる。このような機能は、ここで開示される様々な無線の特徴、機能、又は利点のいずれかを提供することを含みうる。いくつかの実施形態では、処理回路１７０は、システムオンチップ（ＳＯＣ）を含んでもよい。
【００６８】
いくつかの実施形態において、処理回路１７０は、１つ以上の無線周波数（ＲＦ）送受信器回路１７２およびベースバンド処理回路１７４を含みうる。いくつかの実施形態において、無線周波数（ＲＦ）送受信器回路１７２およびベースバンド処理回路１７４は、別個のチップ（又はチップのセット）、ボード、または無線ユニットおよびデジタルユニットなどのユニット上にあってもよい。別の実施形態では、ＲＦ送受信器回路１７２およびベースバンド処理回路１７４の一部または全部が、同一のチップもしくはチップのセット、ボード又はユニット上にあってもよい。
【００６９】
ある実施形態において、ネットワークノード、基地局、ｅＮＢ、又は他のこのようなネットワークデバイスによって与えられるような、ここで説明される機能の一部または全部は、デバイス可読媒体１８０に又は処理回路１７０内のメモリに記憶された命令を実行する処理回路１７０によって実行されうる。代替的な実施形態において、機能の一部または全部が、配線で接続される方法のようにして、別個の又は個別のデバイス可読媒体に記憶された命令を実行することなく、処理回路１７０によって提供されてもよい。それらの実施形態にいずれにおいても、デバイス可読媒体に記憶された命令を実行すると否とによらず、処理回路１７０は、説明した機能を実行するように構成されうる。このような機能によって与えられる利点は、処理回路１７０単体又はネットワークノード１６０の他の要素に限定されず、全体としてネットワークノード１６０によって、及び／又はエンドユーザおよび無線ネットワークによって、広く享受される。
【００７０】
デバイス可読媒体１８０は、限定なく、永続的ストレージ、ソリッドステートメモリ、遠隔設置されたメモリ、磁気媒体、光学媒体、ランダムアクセスメモリ（ＲＡＭ）、リードオンリーメモリ（ＲＯＭ）、マスストレージメディア（例えばハードディスク）、リムーバブル記憶媒体（例えば、フラッシュドライブ、コンパクトディスク（ＣＤ）、又はデジタルビデオディスク（ＤＶＤ））、及び／又は、処理回路１７０によって利用されうる情報、データ、並びに／もしくは命令を記憶する任意の他の揮発性もしくは不揮発性の、非一時的デバイス可読並びに／もしくはコンピュータ実行可能メモリデバイスを含んだ、任意の揮発性の又は不揮発性のコンピュータ可読メモリを含みうる。デバイス可読媒体１８０は、コンピュータプログラム、ソフトウェア、１つ以上のロジック、ルール、コード、テーブル等を含んだアプリケーション、及び／又は、処理回路１７０によって実行可能であり、ネットワークノード１６０において利用可能な他の命令を含んだ、任意の適切な命令、データ又は情報を記憶しうる。デバイス可読媒体１８０は、処理回路１７０によってなされた任意の計算、及び／又は、インタフェース１９０を介して受信された任意のデータを記憶するのに用いられうる。いくつかの実施形態では、処理回路１７０およびデバイス可読媒体１８０は、集積されると考えられてもよい。
【００７１】
インタフェース１９０は、ネットワークノード１６０、ネットワーク１０６、及び／又はＷＤ１１０の間でのシグナリング及び／又はデータの有線又は無線通信に使用される。図解されるように、インタフェース１９０は、例えば有線接続を介してネットワーク１０６へおよびそれから、データを送信および受信するためのポート／ターミナルを有する。また、インタフェース１９０は、アンテナ１６２に、又はある実施形態においてその一部に、接続されうる無線フロントエンド回路１９２を含む。無線フロントエンド回路１９２は、フィルタ１９８および増幅器１９６を含む。無線フロントエンド回路１９２は、アンテナ１６２および処理回路１７０に接続されうる。無線フロントエンド回路は、アンテナ１６２と処理回路１７０との間で通信される信号を調整するように構成されうる。無線フロントエンド回路１９２は、無線接続を介して他のネットワークノード又はＷＤに送信されるべきデジタルデータを受信しうる。無線フロントエンド回路１９２は、デジタルデータを、フィルタ１９８及び／又は増幅器１９６の組み合わせを用いて適切なチャネルおよび帯域幅パラメータを有する無線信号に変換しうる。そして、無線信号は、アンテナ１６２を介して送信されうる。同様に、データを受信する際に、アンテナ１６２が、その後に無線フロントエンド回路１９２によってデジタルデータへと変換される、無線信号を収集しうる。デジタルデータは、処理回路１７０に受け渡されうる。他の実施形態では、インタフェースは、異なる要素を、及び／又は、異なる要素の組み合わせを、有しうる。
【００７２】
ある代替的な実施形態では、ネットワークノード１６０は、別個の無線フロントエンド回路１９２を含まなくてもよく、代わりに、処理回路１７０が、無線フロントエンド回路を含んでもよいし、別個の無線フロントエンド回路１９２なくアンテナ１６２に接続されてもよい。同様に、いくつかの実施形態では、ＲＦ送受信器回路１７２の全部又は一部が、インタフェース１９０の一部と考えられてもよい。さらに他の実施形態では、インタフェース１９０は、無線ユニット（不図示）の一部として、ポートまたはターミナル１９４、無線フロントエンド回路１９２、およびＲＦ送受信器回路１７２のうちの１つ以上を含んでもよく、インタフェース１９０は、デジタルユニット（不図示）の一部であるベースバンド処理回路１７４と通信しうる。
【００７３】
アンテナ１６２は、無線信号を送信及び／又は受信するように構成された、１つ以上のアンテナ、又はアンテナアレイを含みうる。アンテナ１６２は、無線フロントエンド回路１９０に接続されてもよく、無線でデータ及び／又は信号を送信および受信可能な任意のタイプのアンテナでありうる。いくつかの実施形態では、アンテナ１６２は、例えば、２ＧＨｚと６６ＧＨｚとの間で無線信号を送信／受診するように動作可能な、１つ以上の無指向性、セクタ又はパネルアンテナを含んでもよい。無指向性アンテナは任意の方向において無線信号を送信／受信するのに使用されてもよく、セクタアンテナは、特定のエリア内のデバイスから、無線信号を送信／受信するのに用いられてもよく、パネルアンテナは、相対的に直線で無線信号を送信／受信するのに使用される見通しアンテナでありうる。いくつかの例では、１つより多くのアンテナの使用がＭＩＭＯと呼ばれうる。ある実施形態では、アンテナ１６２は、ネットワークノード１６０と分離されてもよく、インタフェース又はポートを通じてネットワークノード１６０に接続可能でありうる。
【００７４】
アンテナ１６２、インタフェース１９０、及び／又は処理回路１７０は、ネットワークノードによって実行されるようにここで説明されたいずれかの受信動作及び／又は取得動作を実行するように構成されうる。任意の情報、データ、及び／又は信号は、無線デバイス、別のネットワークノード、及び／又は他のネットワーク設備から受信されうる。同様に、アンテナ１６２、インタフェース１９０、及び／又は処理回路１７０は、ネットワークノードによって実行されるようにここで説明した、いずれかの送信動作を実行するように構成されうる。任意の情報、データ、及び／又は信号は、無線デバイス、他のネットワークノード、及び／又は任意の他のネットワーク設備に送信されうる。
【００７５】
電力回路１８７は、電力管理回路を有し又はそれに接続されてもよく、ここで説明する機能を実行するための電力をネットワークノード１６０の要素に供給するように構成される。電力回路１８７は、電源１８６から電力を受信しうる。電源１８６及び／又は電力回路１８７は、ネットワークノード１６０の様々な要素に、それぞれの要素に適した形式で（例えば各個別の要素に必要な電圧及び電流レベルで）、電力を提供するように構成されうる。電源１８６は、電力回路１８７及び／又はネットワークノード１６０に含まれてもよいし、それの外部にあってもよい。例えば、ネットワークノード１６０は、入力回路又は伝染などのインタフェースを介して電源（例えば、電気取出口）に接続可能であってもよく、それにより外部電源が電力回路１８７に電力を供給する。さらなる例として、電源１８６は、電力回路１８７に接続され又は集積されるバッテリ又はバッテリパックの形式で電力源を有してもよい。バッテリは、外部電源が切れているときにバックアップ電源を提供しうる。光電池デバイスなどの他のタイプの電源が使用されてもよい。
【００７６】
ネットワークノード１６０の代替的な実施形態は、ここで説明した機能のいずれか及び／又はここで説明した主題をサポートするのに必要な任意の機能を含んだ、ネットワークノードの機能の所定の態様を提供する責務を担いうる図６に示されるもの以外の追加要素を含んでもよい。例えば、ネットワークノード１６０は、ネットワークノード１６０への情報の入力を可能とし、ネットワークノード１６０からの情報の出力を可能とするためのユーザインタフェース装置を含みうる。これは、診断、メンテナンス、修理、および、ネットワークノード１６０のための他の管理機能をユーザが実行することを可能としうる。
【００７７】
図７は、ある実施形態による、重複するスペクトルを用いるネットワークノード１６０間のリソース割り当てのための例示の無線デバイス（ＷＤ）ノード１１０を図解している。ここで用いられるように、ＷＤは、ネットワークノード及び／又は他の無線デバイスと無線で通信することが可能な、そのように構成された、そのように編成された、及び／又はそのように動作可能なデバイスを呼ぶ。別途述べない限り、用語ＷＤは、ここでは、ユーザ端末（ＵＥ）と交換可能に使用されうる。無線で通信することは、エアを通じて情報を運ぶのに適した電磁波、無線波、赤外線波及び／又は他のタイプの信号を用いて、無線信号を送信及び／又は受信することを含む。いくつかの実施形態では、ＷＤは、直接的な人間相互作用なく送信及び／又は受信を行うように構成されうる。例えば、ＷＤは、内部的又は外部的なイベントによりトリガされた際に、又はネットワークからの要求に応答して、所定のスケジュールでネットワークに情報を送信するように設計されうる。ＷＤの例は、スマートフォン、移動体電話、携帯電話、ヴォイスオーバーＩＰ（ＶｏＩＰ）電話、無線ローカルループ電話、デスクトップコンピュータ、パーソナルデジタルアシスタント（ＰＤＡ）、無線カメラ、ゲームコンソールまたはデバイス、音楽ストレージデバイス、再生器具、ウェアラブル端末デバイス、無線エンドポイント、モバイルステーション、タブレット、ラップトップ、ラップトップ内蔵装置（ＬＥＥ）、ラップトップ装着装置（ＬＭＥ）、スマートデバイス、無線顧客構内装置（ＣＰＥ）、車載無線端末デバイスなどを含むが、これらに限定されない。ＷＤは、例えば、再度リンク通信のための３ＧＰＰ標準、車対車（Ｖ２Ｖ）、車対インフラストラクチャ（Ｖ２Ｉ）、車対エブリシング（Ｖ２Ｘ）をじっそうすることにより、デバイス対デバイス（Ｄ２Ｄ）通信をサポートしてもよく、この場合、Ｄ２Ｄ通信デバイスと呼ばれてもよい。また別の特定の例として、物のインターネット（ＩｏＴ）シナリオにおいて、ＷＤは、監視及び／又は測定を実行して、別のＷＤ及び／又はネットワークノードへこのような監視及び／又は測定の結果を送信する機械又は他のデバイスを表しうる。ＷＤは、この場合、３ＧＰＰの文脈においてＭＴＣデバイスと呼ばれうる、機械対機械（Ｍ２Ｍ）デバイスでありうる。１つの特定の例として、ＷＤは、３ＧＰＰ狭帯域インターネットオブシングズ（ＮＢ−ＩｏＴ）標準を実装しているＵＥでありうる。このような機会又はデバイスの特定の例は、センサ、電力メータなどのメータデバイス、産業用機械装置、又は、家庭用もしくは個人用器具（例えば冷蔵庫、テレビなど）、個人用ウェアラブル（例えば時計、フィットネストラッカーなど）である。他のシナリオにおいて、ＷＤは、自身の動作状態もしくは自身の動作に関連する他の機能の監視及び／又は測定を行うことが可能な車両又は他の装置を表しうる。上述のようなＷＤは、無線接続のエンドポイントを表してもよく、この場合、デバイスは、無線ターミナルと呼ばれうる。さらに、上述のようなＷＤは移動体であってもよく、この場合、モバイルデバイス又はモバイルターミナルと呼ばれうる。
【００７８】
図のように、無線デバイス１１０は、アンテナ１１１、インタフェース１１４、処理回路１２０、デバイス可読媒体１３０、ユーザインタフェース装置１３２、付属装置１３４、電源１３６および電力回路１３７を含む。例を挙げるだけでも、例えばＧＳＭ、ＷＣＤＭＡ、ＬＴＥ、ＮＲ、ＷｉＦｉ、ＷｉＭＡＸ、又はＢｌｕｅｔｏｏｔｈ無線技術などのＷＤ１１０によってサポートされる様々な無線技術のために、ＷＤ１１０は、１つ以上の図解された要素のセットを複数含んでもよい。これらの無線技術は、ＷＤ１１０内の他の要素と同一の又は異なるチップ、又はチップのセットに集積されうる。
【００７９】
アンテナ１１１は、無線信号を送信及び／又は受信するように構成された１つ以上のアンテナ又はアンテナアレイを含んでもよく、インタフェース１１４に接続される。ある別の実施形態では、アンテナ１１１は、ＷＤ１１０から分離されていてもよく、インタフェース又はポートを通じてＷＤ１１０に接続可能でありうる。アンテナ１１１、インタフェース１１４、及び／又は処理回路１２０は、ＷＤによって実行されるようにここで説明されたいずれかの受信又は送信動作を実行するように構成されうる。任意の情報、データ、及び／又は信号は、ネットワークノード及び／又は別のＷＤから受信されうる。いくつかの実施形態では、無線フロントエンド回路及び／又はアンテナ１１１を、インタフェースと考えてもよい。
【００８０】
図のように、インタフェース１１４は、無線フロントエンド回路１１２およびアンテナ１１１を有する。無線フロントエンド回路１１２は、１つ以上のフィルタ１１８と増幅器１１６を含む。無線フロントエンド回路１１２は、アンテナ１１１および処理回路１２０に接続され、アンテナ１１１と処理回路１２０との間で通信される信号を調整するように構成される。無線フロントエンド回路１１２は、アンテナ１１１に又はその一部に結合されうる。いくつかの実施形態では、ＷＤ１１０は、別個の無線フロントエンド回路１１２を有しなくてもよく、むしろ、処理回路１２０が無線フロントエンド回路を有してもよく、アンテナ１１１に接続されてもよい。同様に、いくつかの実施形態では、ＲＦ送受信器回路１２２の一部または全部が、インタフェース１１４の一部と考えられてもよい。無線フロントエンド回路１１２は、無線接続を介して他のネットワークノード又はＷＤへ送信されるべきデジタルデータを受信しうる。無線フロントエンド回路１１２は、フィルタ１１８及び／又は増幅器１１６の組み合わせを用いて、デジタルデータを適切なチャネルおよび帯域幅パラメータを有する無線信号へ変換しうる。そして、無線信号はアンテナ１１１を介して送信されうる。同様に、データを受信する際に、アンテナ１１１は、その後に無線フロントエンド回路１１２によってデジタルデータに変換される無線信号を収集しうる。デジタルデータは、処理回路１２０に受け渡されうる。別の実施形態では、異なる要素、及び／又は、要素の異なる組み合わせを有しうる。
【００８１】
処理回路１２０は、マイクロプロセッサ、コントローラ、マイクロコントローラ、中央演算ユニット、デジタルシグナルプロセッサ、特定用途向け集積回路、フィールドプログラマブルゲートアレイ、又は任意の他の適切な演算デバイスの１つ以上についての組み合わせ、リソース、又は、単体でもしくはデバイス可読媒体１３０などの他のＷＤ１１０の要素と併せて、ＷＤ１１０の機能を提供するように動作可能なハードウェア、ソフトウェア、並びに／もしくはエンコードされたロジックの組み合わせを含みうる。このような機能は、ここで議論される様々な無線の特徴又は利点のいずれかを提供することを含みうる。例えば、処理回路１２０は、ここで開示される機能を提供するために、デバイス可読媒体１３０に又は処理回路１２０内のメモリに記憶された命令を実行しうる。
【００８２】
図のように、処理回路１２０は、ＲＦ送受信器回路１２２、ベースバンド処理回路１２４、およびアプリケーション処理回路１２６のうちの１つ以上を含む。別の実施形態では、処理回路は、異なる要素、及び／又は、要素の異なる組み合わせを有しうる。ある実施形態では、ＷＤ１１０の処理回路１２０は、ＳＯＣを含みうる。いくつかの実施形態では、ＲＦ送受信器回路１２２、ベースバンド処理回路１２４、およびアプリケーション処理回路１２６が、別個のチップ又はチップのセット上にあってもよい。代替的な実施形態では、ベースバンド処理回路１２４およびアプリケーション処理回路１２６の一部または全部が、１つにチップ又はチップのセットに組み合わせられてもよいし、ＲＦ送受信器回路１２２が別個のチップ又はチップのセット上にあってもよい。さらなる代替的な実施形態では、ＲＦ送受信器回路１２２およびベースバンド処理回路１２４の一部または全部が同一のチップ又はチップのセット上にあってもよく、アプリケーション処理回路１２６が別個のチップ又はチップのセット上にあってもよい。また別の代替的な実施形態では、ＲＦ送受信器回路１２２、ベースバンド処理回路１２４、およびアプリケーション処理回路１２６の一部または全部が同一のチップ又はチップのセットに組み合わせられてもよい。いくつかの実施形態では、ＲＦ送受信器回路１２２がインタフェース１１４の一部であってもよい。ＲＦ送受信器回路１２２は、処理回路１２０のためにＲＦ信号を調節しうる。
【００８３】
ある実施形態において、ＷＤによって実行されるようにここで説明される機能の一部または全部は、処理回路１２０が、ある実施形態ではコンピュータ可読記憶媒体でありうるデバイス可読媒体１３０に記憶された命令を実行することにより提供されうる。別の実施形態では、一部または全部の機能が、配線接続される方法のように、別個の又は個別のデバイス可読記憶媒体に記憶された命令を実行することなく、処理回路１２０によって提供されうる。それらの特定の実施形態のいずれかにおいて、デバイス可読記憶媒体に記憶された命令を実行すると否とによらず、説明された機能を実行するように処理回路１２０を構成可能である。このような機能によって提供される利点は、処理回路１２０単体に又はＷＤ１１０の他の要素に限定されないが、ＷＤ１１０、及び／又は、広くユーザおよび無線ネットワークによって全体として享受されうる。
【００８４】
処理回路１２０は、ＷＤによって実行されるようにここで説明される、任意の判定、計算、又は同様の動作（例えば所定の取得動作）を実行するように構成されうる。処理回路１２０によって実行されるような、これらの動作は、例えば取得した情報を他の情報に変換すること、取得した情報又は変換した情報をＷＤ１１０によって記憶されている情報と比較すること、及び／又は、取得した情報又は変換した情報に基づいて１つ以上の動作を実行すること、およびその処理の結果として判定を実行することによって、処理回路１２０によって取得された情報を処理することを含みうる。
【００８５】
デバイス可読媒体１３０は、ロジック、ルール、コード、テーブルなど、及び／又は、処理回路１２０が実行可能な他の命令のうちの１つ以上を含んだ、コンピュータプログラム、ソフトウェア、アプリケーションを記憶するように動作可能でありうる。デバイス可読媒体１３０は、処理回路１２０によって使用されうる情報、データ、及び／又は命令を記憶する、コンピュータメモリ（例えば、ランダムアクセスメモリ（ＲＡＭ）又はリードオンリーメモリ（ＲＯＭ））、マスストレージメディア（例えばハードディスク）、リムーバブル記憶媒体（例えばコンパクトディスク（ＣＤ）またはデジタルビデオディスク（ＤＶＤ））、及び／又は、任意の他の揮発性もしくは不揮発性の非一時的デバイス可読及び／又はコンピュータ実行可能メモリデバイスを含みうる。いくつかの実施形態では、処理回路１２０およびデバイス可読媒体１３０は、集約されているように考えられうる。
【００８６】
ユーザインタフェース装置１３２は、人間のユーザがＷＤ１１０と相互作用することを可能とする要素を提供しうる。このような相互作用は、視覚、聴覚、触覚などの、多くの形式のものでありうる。ユーザインタフェース装置１３２は、ユーザへの出力を作り出し、ユーザがＷＤ１１０へ入力を提供することを可能とするように動作可能でありうる。相互作用の種類は、ＷＤ１１０に取り付けられたユーザインタフェース装置１３２の種類に応じて変動しうる。例えば、ＷＤ１１０がスマートフォンである場合、相互作用はタッチスクリーンを介してもよく、ＷＤ１１０がスマートメータである場合、相互作用は使用量（例えば使用されたガロン数）を提供するスクリーン、又は（例えば煙が検出された場合の）可聴式の警告を提供するスピーカを通じうる。ユーザインタフェース装置１３２は、入力インタフェース、デバイス並びに回路、および、出力インタフェース、デバイス、並びに回路を含みうる。ユーザインタフェース装置１３２は、ＷＤ１１０への情報の入力を可能とするように構成され、処理回路１２０がその入力情報を処理することを可能とするように処理回路１２０に接続される。ユーザインタフェース装置１３２は、例えば、マイク、近接又は他のセンサ、キー／ボタン、タッチディスプレイ、１つ以上のカメラ、ＵＳＢポート、又は、他の入力回路を含みうる。また、ユーザインタフェース装置１３２は、ＷＤ１１０からの情報の出力を可能とし、処理回路１２０がＷＤ１１０から情報を出力することを可能とするように構成される。ユーザインタフェース装置１３２は、例えば、スピーカ、ディスプレイ、振動回路、ＵＳＢポート、ヘッドフォンインタフェース、又は、他の出力回路を含みうる。ユーザインタフェース装置１３２の１つ以上の入力および出力インタフェースデバイスおよび回路を用いて、ＷＤ１１０は、エンドユーザ及び／又は無線ネットワークと通信し、それらがここで説明される機能から利益を得ることができるようにし得る。
【００８７】
付属装置１３４は、一般的にはＷＤによって実行されない、より固有の機能を提供するように動作可能である。様々な目的のための測定を実行するための特化したセンサ、有線通信などのような追加のタイプの通信のためのインタフェースを含みうる。付属装置１３４の要素の組み入れおよびタイプは、実施形態及び／又はシナリオに依存して変動しうる。
【００８８】
電源１３６は、いくつかの実施形態において、バッテリの、又は、バッテリパックの形式でありうる。また、外部電源（例えば電気取出口）、光電池デバイス、又はパワーセルなどの他のタイプの電源が使用されてもよい。ＷＤ１１０は、さらに、電源１３６からの電力を、ここで説明される又は示されるいずれかの機能を実行するのに電源１３６からの電力を必要とする、ＷＤ１１０の様々なパーツに運ぶための電力回路１３７を有しうる。電力回路１３７は、ある実施形態において、電力管理回路を有してもよい。電力回路１３７は、追加で又は代替的に、外部電源からの電力を受信するように動作可能であってもよく、この場合、ＷＤ１１０は、入力回路又は電源ケーブルなどのインタフェースを介して（電気取出口などの）外部電源に接続可能でありうる。また、電力回路１３７は、ある実施形態において、外部電源からの電力を電源１３６へ運ぶように動作可能でありうる。これは、例えば、電源１３６の充電のためのものでありうる。電力回路１３７は、電力が供給されるＷＤ１１０の各要素に適した電力を作るために、電源１３６からの電力に対して、任意のフォーマット、変換、又は他の変形を実行しうる。
【００８９】
図８は、ここで説明される様々な態様による、重複するスペクトルを用いるネットワークノード１６０間のリソース割り当てのためのＵＥ２００の１つの実施形態を示している。ここで用いるように、ユーザ端末又はＵＥは、関連するデバイスを所有及び／又は運用する人間のユーザと言う意味のユーザを必ずしも有しなくてもよい。代わりに、ＵＥは、人間のユーザへの販売又は人間のユーザによる運用を対象とするが、個別の人間のユーザに関連付けられなくてもよい又は初期的に関連付けられなくてもよいデバイス（例えばスマートスプリンクラーコントローラ）を表してもよい。代替的に、ＵＥは、エンドユーザへの販売又は運用を対象としないが、ユーザと関連付けられ又はユーザの利益のために運用されうるデバイス（例えば、スマート電力メータ）を表してもよい。ＵＥ２００は、ＮＢ−ＩｏＴ  ＵＥ、麻疹タイプコミュニケーション（ＭＴＣ）ＵＥ、及び／又は、エンハンスドＭＴＣ（ｅＭＴＣ）ＵＥを含んだ、第３世代パートナーシッププロジェクト（３ＧＰＰ）によって特定される任意のＵＥであってもよい。図８に示されるように、ＵＥ２００は、３ＧＰＰのＧＳＭ、ＵＭＴＳ、ＬＴＥ、及び／又は５Ｇ標準などの、第３世代パートナーシッププロジェクト（３ＧＰＰ）によって発布された１つ以上の通信標準に従う通信のために構成されたＷＤの一例である。先に言及したように、用語ＷＤおよびＵＥは、交換可能に使用されうる。したがって、図８はＵＥであるが、ここで議論される要素は、ＷＤにも等しく適用可能であり、逆もまた真である。
【００９０】
図８において、ＵＥ２００は、入出力インタフェース２０５、無線周波数（ＲＦ）インタフェース２０９、ネットワーク接続インタフェース２１１、ランダムアクセスメモリ（ＲＡＭ）２１７とリードオンリーメモリ（ＲＯＭ）２１９と記憶媒体２２１などを含んだメモリ２１５、通信サブシステム２３１、電源２１３、及び／又は任意の他の要素、又はそれらの任意の組み合わせに動作可能に接続される処理回路２０１を含む。記憶媒体２２１は、オペレーティングシステム２２３、アプリケーションプログラム２２５、およびデータ２２７を含む。他の実施形態では、記憶媒体２２１は、他の同様のタイプの情報を含みうる。所定のＵＥは、図８に示される要素の全て、またはその要素のサブセットのみを利用しうる。要素間の統合のレベルは、１つのＵＥと別のＵＥとで変動しうる。さらに、あるＵＥは、複数のプロセッサ、メモリ、送受信器、送信器、受信器などのような、複数の要素を含んでもよい。
【００９１】
図８において、処理回路２０１は、コンピュータ命令およびデータを処理するように構成されうる。処理回路２０１は、（例えば個別のロジック、ＦＰＧＡ、ＡＳＩＣなどにおいて）１つ以上のハードウェア実装されたステートマシンなどの、機械可読コンピュータプログラムとしてメモリに記憶された機械命令を実行するように動作する任意のシーケンシャルステートマシン；プログラマブルロジック並びに適切なファームフェア；１つ以上の記憶されたプログラム、マイクロプロセッサ又はデジタルシグナルプロセッサ（ＤＳＰ）などの汎用プロセッサ、並びに適切なソフトウェア；又は上述のものの任意の組み合わせを実現するように構成されうる。例えば、処理回路２０１は、２つの中央演算装置（ＣＰＵ）を含んでもよい。データは、コンピュータによる使用に適した形式の情報であってもよい。
【００９２】
描画された実施形態では、入出力インタフェース２０５は、入力デバイス、出力デバイス、又は入出力デバイスへ、通信インタフェースを提供するように構成されうる。ＵＥ２００は、入出力インタフェース２０５を介して出力デバイスを使用するように構成されうる。出力デバイスは、入力デバイスと同じタイプのインタフェースポートを使用しうる。例えば、ＵＳＢポートが、ＵＥ２００への入力およびＵＥ２００からの出力を提供するために用いられうる。出力デバイスは、スピーカ、サウンドカード、ビデオカード、ディスプレイ、モニタ、プリンタ、アクチュエータ、エミッタ、スマートカード、別の出力デバイス、またはそれらの任意の組み合わせでありうる。ＵＥ２００は、ユーザがＵＥ２００内に情報をキャプチャすることを可能とするために、入出力インタフェース２０５を介して、入力デバイスを使用するように構成されうる。入力デバイスは、タッチセンシティブ又はプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含みうる。プレゼンスセンシティブディスプレイは、ユーザからの入力を感知する容量性又は抵抗性のタッチセンサを含みうる。センサは、例えば、加速度計、ジャイロスコープ、チルトセンサ、力センサ、磁力計、光学センサ、近接センサ、他の同様のセンサ、又はそれらの任意の組み合わせでありうる。例えば、入力デバイスは、加速度計、磁力計、デジタルカメラ、マイク、および光学センサでありうる。
【００９３】
図８において、ＲＦインタフェース２０９は、送信器、受信器、アンテナなどのＲＦコンポーネントに、通信インタフェースを提供するように構成されうる。ネットワーク接続インタフェース２１１は、ネットワーク２４３ａへの通信インタフェースを提供するように構成されうる。ネットワーク２４３ａは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、又はそれらの任意の組み合わせなどの、有線及び／又は無線ネットワークを包含しうる。例えば、ネットワーク２４３ａは、Ｗｉ−Ｆｉネットワークを含みうる。ネットワーク接続インタフェース２１１は、イーサネット、ＴＣＰ／ＩＰ、ＳＯＮＥＴ、ＡＴＭなどのような、１つ以上の通信プロトコルに従って、通信ネットワークを介して１つ以上の他のデバイスと通信するのに用いられる受信器インタフェースおよび送信器インタフェースを含むように構成されうる。ネットワーク接続インタフェース２１１は、通信ネットワークリンク（例えば光学、電気など）に適合した受信器および送信器機能を実装しうる。送信器および受信器機能は、回路コンポーネント、ソフトウェアもしくはファームウェアを共有してもよく、又は、代替的に、別個に実装されてもよい。
【００９４】
ＲＡＭ２１７は、オペレーティングシステム、アプリケーションプログラム、およびデバイスドライバなどのソフトウェアプログラムの実行中に、データやコンピュータ命令の記憶又はキャッシュを提供するために、バス２０２を介して処理回路２０１にインタフェース接続するように構成されうる。ＲＯＭ２１９は、処理回路２０１へコンピュータ命令やデータを提供するように構成されうる。例えば、ＲＯＭ２１９は、不揮発性メモリに記憶される、基本入出力（Ｉ／Ｏ）、スタートアップ、又はキーボードからのキーストロークの受信などの基本システム機能のための不変の低レベルシステムコード又はデータを記憶するように構成されうる。記憶媒体２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光学ディスク、フロッピーディスク、ハードディスク、リムーバブルカートリッジ、又はフラッシュドライブなどのメモリを含むように構成されうる。１つの例では、記憶媒体２２１は、オペレーティングシステム２２３、ウェブブラウザアプリケーション、ウィジェットもしくはガジェットエンジン、又は他のアプリケーションなどのアプリケーションプログラム２２５、およびデータファイル２２７を含むように構成されうる。記憶媒体２２１は、ＵＥ２００による使用のために、様々な多数のオペレーティングシステムのいずれか又はオペレーティングシステムの組み合わせを記憶しうる。
【００９５】
記憶媒体２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多目的ディスク（ＨＤ−ＤＶＤ）光学ディスクドライブ、内部ハードディスクドライブ、ブルーレイ光学ディスクドライブ、ホログラフィックデジタルデータストレージ（ＨＤＤＳ）光学ディスクドライブ、外部ミニデュアル・インライン・メモリモジュール（ＤＩＭＭ）、シンクロナス・ダイナミック・ランダムアクセスメモリ（ＳＤＲＡＭ）、外部マイクロＤＩＭＭ  ＳＤＲＡＭ、加入者識別カードやリムーバブルユーザアイデンティティ（ＳＩＭ／ＲＵＩＭ）モジュールなどのスマートカードメモリ、他のメモリ、またはそれらの任意の組み合わせなどの、複数の物理ドライブユニットを含むように構成されうる。記憶媒体２２１は、ＵＥ２００が、データをオフロードするため又はデータをアップロードするために、一時的又は非一時的なメモリ媒体に記憶されたコンピュータ実行可能命令や、アプリケーションプログラムなどにアクセスすることを可能とする。通信システムを利用するものなどの製品は、デバイス可読媒体を含みうる記憶媒体２２１において明白に実現されうる。
【００９６】
図８において、処理回路２０１は、通信サブシステム２３１を用いて、ネットワーク２４３ｂと通信するように構成されうる。ネットワーク２４３ａおよびネットワーク２４３ｂは、同一の１つまたは複数のネットワークであっても、異なる１つまたは複数のネットワークであってもよい。通信サブシステム２３１は、ネットワーク２４３ｂと通信するのに用いられる１つ以上の送受信器を含むように構成されうる。例えば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ以上の通信プロトコルに従う無線アクセスネットワーク（ＲＡＮ）の、別のＷＤ、ＵＥ、又は基地局などの無線通信が可能な他の装置の１つ以上の遠隔送受信器と通信するのに用いられる、１つ以上の送受信器を含むように構成されうる。各送受信器は、ＲＡＮリンクに適した送信器又は受信器機能（例えば周波数割り当てなど）を実行するために、送信器２３３及び／又は受信器２３５を含みうる。さらに、各送受信器の送信器２３３および受信器２３５は、回路要素、ソフトウェア又はファームウェアを共有してもよく、また、代替的に、別個に実装されてもよい。
【００９７】
図解された実施形態では、通信サブシステム２３１の通信機能は、データ通信、音声通信、マルチメディア通信、Ｂｌｕｅｔｏｏｔｈなどの短距離通信、ニアフィールド通信、位置を判定するための全地球測位システム（ＧＰＳ）の使用などの位置ベースの通信、他の同様の通信機能、又は、それらの任意の組み合わせを含みうる。例えば、通信サブシステム２３１は、セルラ通信、Ｗｉ−Ｆｉ通信、Ｂｌｕｅｔｏｏｔｈ通信、およびＧＰＳ通信を含みうる。ネットワーク２４３ｂは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、またはそれらの任意の組み合わせなどの、有線及び／又は無線ネットワークを包含しうる。例えば、ネットワーク２４３ｂは、セルラネットワーク、Ｗｉ−Ｆｉネットワーク、及び／又はニアフィールドネットワークでありうる。電源２１３は、ＵＥ２００のコンポーネントに交流（ＡＣ）又は直流（ＤＣ）電力を提供するように構成されうる。
【００９８】
ここで説明する特徴、利点、及び／又は機能は、ＵＥ２００のコンポーネントの１つに、又は、ＵＥ２００の複数のコンポーネントに渡って分割されて、実装されうる。さらに、ここで説明する特徴、利点、及び／又は機能は、ハードウェア、ソフトウェア又はファームウェアの任意の組み合わせにおいて実装されてもよい。１つの例において、通信サブシステム２３１は、ここで説明されるコンポーネントのいずれかを含むように構成されうる。さらに、処理回路２０１は、バス２０２を介してこのようなコンポーネントのいずれかと通信するように構成されうる。別の例では、このようなコンポーネントのいずれかは、メモリに記憶された、処理回路２０１によって実行されるときに、ここで説明される対応する機能を実行するプログラム命令によって表されてもよい。別の例では、このようなコンポーネントのいずれかの機能は、処理回路２０１と通信サブシステム２３１との間で区分化されてもよい。別の例では、このようなコンポーネントのいずれかの計算機負荷の重くない機能がソフトウェア又はファームウェアによって実装され、計算機負荷の重い機能がハードウェアによって実装されてもよい。
【００９９】
図９は、いくつかの実施形態によって実装される機能が仮想化されうる、仮想化環境３００を図解する概略ブロック図である。ここでの文脈において、仮想化は、ハードウェアプラットフォーム、記憶デバイスおよびネットワーキングリソースを仮想化することを含みうる装置又はデバイスの仮想バージョンを作り出すことを意味する。ここで用いられるように、仮想化は、ノード（例えば仮想化基地局又は仮想化無線アクセスノード）に、又はデバイス（例えばＵＥ、無線デバイス、又は任意の他のタイプの通信デバイス）に、又はその任意のコンポーネントに適用可能であり、（例えば、１つ以上のネットワークにおける１つ以上の物理プロセッシングノードで実行する１つ以上のアプリケーション、コンポーネント、機能、仮想マシン、又はコンテナを介して）１つ以上の仮想コンポーネントとして機能の少なくとも一部が実行される実装に関する。
【０１００】
いくつかの実施形態では、ここで説明される機能の一部または全部が、１つ以上のハードウェアノード３３０によってホストされる１つ以上の仮想環境３００において実装される１つ以上の仮想マシンによって実行される仮想コンポーネントとして、実装されうる。さらに、仮想ノードが無線アクセスノードでなく又は無線接続（例えばコアネットワークノード）を要求しない環境では、ネットワークノードが全体として仮想化されてもよい。
【０１０１】
機能は、ここで開示された実施形態のいくつかの特徴、機能及び／又は利点を実装するように作動する（代替的にソフトウェア命令、仮想器具、ネットワーク機能、仮想ノード、仮想ネットワーク機能と呼ばれうる）１つ以上のアプリケーション３２０によって、実装されうる。アプリケーション３２０は、処理回路３６０とメモリ３９０とを含んだハードウェア３３０を提供する仮想化環境３００において実行される。メモリ３９０は、処理回路３６０によって実行可能な命令３９５を含み、それにより、アプリケーション３２０が、ここで開示される特徴、利点及び／又は機能の１つ以上を提供するように作動する。
【０１０２】
仮想化環境３００は、商用オフザシェルフ（ＣＯＴＳ）プロセッサ、専用の特定用途向け集積回路（ＡＳＩＣ）、又は、デジタルもしくはアナログハードウェアコンポーネント又は特定用途向けのプロセッサを含む任意の他のタイプの処理回路でありうる、１つ以上のプロセッサ又は処理回路３６０のセットを有する汎用又は特定用途用のネットワークハードウェアデバイス３３０を含む。各ハードウェアデバイスは、処理回路３６０によって実行される命令３９５又はソフトウェアを一時的に記憶するための非永続的メモリでありうるメモリ３９０−１を有してもよい。各ハードウェアデバイスは、物理ネットワークインタフェース３８０を含んだ、ネットワークインタフェースカードとしても知られる１つ以上のネットワークインタフェースコントローラ（ＮＩＣ）３７０を有してもよい。各ハードウェアデバイスは、その中に記憶されるソフトウェア３９５及び／又は処理回路３６０によって実行可能な命令を有する非一時的な、永続的な、機械可読記憶媒体３９０−２を含んでもよい。ソフトウェア３９５は、（ハイパーバイザとも呼ばれる）１つ以上の仮想化レイヤ３５０のインスタンスを作成するためのソフトウェア、仮想マシン３４０を実行するためのソフトウェア、およびここで説明されるいくつかの実施形態に関連して説明された機能、特徴及び／又は利点を実行可能とするソフトウェアを含んだ、任意のタイプのソフトウェアを含みうる。
【０１０３】
仮想マシン３４０は、仮想プロセッシング、仮想メモリ、仮想ネットワーキング又はインタフェース、および仮想ストレージを有し、対応する仮想化レイヤ３５０又はハイパーバイザによって実行されうる。仮想アプリケーション３２０のインスタンスの異なる実施形態は、１つ以上の仮想マシン３４０において実行されてもよく、実装は様々な方法で行われてもよい。
【０１０４】
動作の間、処理回路３６０は、場合によっては仮想マシンモニタ（ＶＭＭ）と呼ばれうるハイパーバイザ又は仮想化レイヤ３５０のインスタンスを作成するためにソフトウェア３９５を実行する。仮想化レイヤ３５０は、仮想マシン３４０に対してネットワーキングハードウェアのように見える仮想オペレーティングプラットフォームを提示しうる。
【０１０５】
図９に示すように、ハードウェア３３０は、一般的な又は固有のコンポーネントを有するスタンドアローンネットワークノードでありうる。ハードウェア３３０は、アンテナ３２２５を有してもよく、仮想化を介していくつかの機能を実行しうる。代替的に、ハードウェア３３０は、多くのハードウェアノードが協働し、とりわけアプリケーション３２０のライフサイクル管理を監視するマネジメントアンドオーケストレーション（ＭＡＮＯ）３１００を介して管理される、（例えば、データセンタ又はカスタマ構内装置（ＣＰＥ）においてなどの）ハードウェアのより大きいクラスタの一部であってもよい。
【０１０６】
ハードウェアの仮想化は、いくつかの文脈においてネットワーク機能仮想化（ＮＦＶ）と呼ばれる。ＮＦＶは、多くのネットワーク装置のタイプを、業界標準大容量サーバハードウェア、物理スイッチ、データセンタに位置することができる物理ストレージ、およびカスタマ構内装置に、集約するのに使用されうる。
【０１０７】
ＮＦＶの文脈において、仮想マシン３４０は、物理的な非仮想化マシンで実行していたようにプログラムを実行する物理マシンのソフトウェア実装でありうる。仮想マシン３４０のそれぞれ、および、その仮想マシンを実行する、その仮想マシン及び／又は仮想マシンによって他の仮想マシン３４０と共有されるハードウェアに固有のハードウェアである、ハードウェア３３０の一部は、別個の仮想ネットワークエレメント（ＶＮＥ）を形成する。
【０１０８】
また、ＮＦＶの文脈において、仮想ネットワーク機能（ＶＮＦ）は、図９においてハードウェアネットワーキングインフラストラクチャ３３０の上の１つ以上の仮想マシン３４０において実行すると共にアプリケーション３２０に対応する固有のネットワーク機能をハンドリングすることを担う。
【０１０９】
いくつかの実施形態では、それぞれが１つ以上の送信器３２２０および１つ以上の受信機３２１０を含んだ１つ以上の無線ユニット３２００が、１つ以上のアンテナ３２２５に結合されうる。無線ユニット３２００は、１つ以上の適切なネットワークインタフェースを介してハードウェアノード３３０と直接通信してもよく、無線アクセスノードや基地局などの、無線能力を有する仮想ノードを提供する仮想コンポーネントと組み合わせて用いられてもよい。
【０１１０】
いくつかの実施形態では、いくつかのシグナリングが、代替的にハードウェアノード３３０と無線ユニット３２００との間の通史に使用されうる制御システム３２３０を使用することで成立しうる。
【０１１１】
図１０は、第１のＲＡＴに関連する第１のネットワークノードと第２のＲＡＴに関連する第２のネットワークノードとの間のリソース割り当てのための例示の方法１０００を図解しており、ここで、第１のＲＡＴと第２のＲＡＴとが重複するスペクトルを用いる。
【０１１２】
特定の実施形態において、第１のＲＡＴと第２のＲＡＴは同一である。特定の実施形態では、第１のネットワークノードは第１のカバレッジエリアに関連し、第２のネットワークノードは第２のカバレッジエリアに関連する。少なくとも、第１のカバレッジエリアの一部と第２のカバレッジエリアの一部が重複している。
【０１１３】
ステップ１０１０において、第１のネットワークノードは、第２のネットワークノードによる使用のための、複数のリソースのうちの１つ以上のリソースを決定する。複数のリソースは、ビット系列によって表される。
【０１１４】
特定の実施形態では、前記複数のリソースはリソースグリッドに対応する。さらなる特定の実施形態では、リソースグリッドにおける各リソースは、ビット系列におけるビットインデクスによって特定されうる。
【０１１５】
なお、リソースは、ＰＲＢ、時間・周波数リソース、リソースエレメントなどに対応しうる。
【０１１６】
ステップ１０２０において、第１のネットワークノードは、第２のネットワークノードへ、第２のネットワークノードによる使用のための１つ以上のリソースが示されるビット系列を含んだメッセージを送信する。
【０１１７】
特定の実施形態において、前記メッセージは調整メッセージである、
特定の実施形態において、ビット系列における値０を有する各ビットが、第２のネットワークノードによって使用可能な１つ以上のリソースのうちの特定の１つに対応しうる。
【０１１８】
特定の実施形態において、ビット系列における値１を有する各ビットが第１のネットワークノードによって使用されるリソースに対応しうる。
【０１１９】
特定の実施形態において、メッセージは、第１のネットワークノードと第２のネットワークノードとの間で共有される複数のＰＲＢとして、時間及び／又は周波数リソースの全体の空間を示しうる。例えば、特定の実施形態において、メッセージが複数のＰＲＢのうちのそれぞれの個別の１つに対する第１の値又は第２の値を含みうる。メッセージが複数のＰＲＢのうちの個別の１つに対する第１の値を含む場合、複数のＰＲＢのうちのその個別の１つが第１のＲＡＴを用いて第１のネットワークノードに割り当てられうる。そうでなければ、メッセージが複数のＰＲＢのうちの個別の１つに対する第２の値を含む場合、複数のＰＲＢのうちのその個別の１つは、第１のＲＡＴを用いて第２のネットワークノードに割り当てられうる。
【０１２０】
特定の実施形態において、ビット値０が、共有されるリソースを表してもよく、ビット値１が利用可能でないリソースを表しうる。
【０１２１】
特定の実施形態において、第１のＲＡＴはマスタＲＡＴであり、第２のＲＡＴはセカンダリＲＡＴである。第２のネットワークノードへメッセージを送信することに先立って、１つ以上のリソースが第１のネットワークノードへ割り当てられうる。１つの例において、マスタＲＡＴはＬＴＥであってもよく、セカンダリＲＡＴはＮＲであってもよい。
【０１２２】
特定の実施形態において、メッセージは、１つ以上のリソースが第２のＲＡＴによって使用されうる合意時間期間を含んでもよい。
【０１２３】
特定の実施形態において、第１のネットワークノードはｅＮｏｄｅＢであってもよく、第２のネットワークノードはｇＮｏｄｅＢであってもよい。
【０１２４】
特定の実施形態において、方法は、第１のネットワークノードが、第２のネットワークノードから要求を受信することをさらに含んでもよく、要求は、所望のリソースの量を示してもよい。第２のネットワークノードによる使用のために決定された１つ以上のリソースは、所望の量のリソースを含みうる。
【０１２５】
別の特定の実施形態において、方法は、第１のネットワークノードが、第２のネットワークノードから要求を受信することをさらに含んでもよく、その要求は１つ以上のリソースを示しうる。メッセージは、その要求に応答して送信されうる。
【０１２６】
特定の実施形態において、メッセージは、さらに、ＯＣＲＳ信号と関連すると共に１つ以上のリソースから除外される１つ以上の追加のリソースを含みうる。
【０１２７】
ある実施形態において、上述のような重複するスペクトルを用いるネットワークノード間のリソース割り当ての方法は、コンピュータネットワーキング仮想装置によって実行されうる。図１１は、ある実施形態による、重複するスペクトルを用いるネットワークノード間のリソース割り当てのための例示の仮想演算デバイス１１００を図解している。ある実施形態において、仮想演算デバイス１１００は、図１０において図解され説明された方法に関して上述したものと同様のステップを実行するためのモジュールを含みうる。例えば、仮想演算デバイス１１００は、少なくとも１つの決定モジュール１１１０、送信モジュール１１２０、および、重複するスペクトルを用いるネットワークノード間のリソース割り当てのための任意の他の適切なモジュールを含みうる。いくつかの実施形態では、１つ以上のモジュールが図６の処理回路１７０を用いて実装されうる。ある実施形態において、２つ以上の様々なモジュールの機能が、単一のモジュールに合成されてもよい。
【０１２８】
決定モジュール１１１０は、仮想演算デバイス１１００の決定機能を実行しうる。例えば、特定の実施形態において、決定モジュール１１１０は、第２のネットワークノードによる使用のための、複数のリソースのうちの１つ以上のリソースを決定しうる。複数のリソースは、ビット系列によって表現される。
【０１２９】
送信モジュール１１２０は、仮想演算デバイス１１００の送信機能を実行しうる。例えば、特定の実施形態において、送信モジュール１１２０は、第２のネットワークノードへ、第２のネットワークノードによる使用のための１つ以上のリソースが示されたビット系列を含んだメッセージを送信しうる。
【０１３０】
仮想演算デバイス１１００の他の実施形態は、上述の機能のいずれか及び／又は（上述の解決策をサポートするのに必要な任意の機能を含んだ）追加の機能を含むある態様のネットワークノードの機能を提供することを担いうる、図１１に示すものを超える追加のコンポーネントを含んでもよい。様々な異なるタイプの無線デバイスが、同一の物理ハードウェアを有するが（例えばプログラミングを介して）異なる無線アクセス技術をサポートするように構成されたコンポーネントを含んでもよく、また、部分的に又は全体として異なる物理コンポーネントを表してもよい。
【０１３１】
図１２は、第１のＲＡＴに関連する第１のネットワークノードと第２のＲＡＴに関連する第２のネットワークノードとの間のリソース割り当ての別の例示の方法１２００を示し、ここで、第１のＲＡＴと第２のＲＡＴは、重複するスペクトルを用いる。
【０１３２】
特定の実施形態において、第１のＲＡＴと第２のＲＡＴは同一でありうる。
【０１３３】
特定の実施形態において、第１のネットワークノードは第１のカバレッジエリアに関連付けられ、第２のネットワークノードは第２のカバレッジエリアに関連付けられる。第１のカバレッジエリアおよび第２のカバレッジエリアの少なくとも一部が重複している。
【０１３４】
特定の実施形態において、例えば、第１のネットワークノードは、ｅＮｏｄｅＢを含んでもよく、第２のネットワークノードはｇＮｏｄｅＢを含んでもよい。
【０１３５】
ステップ１２１０では、第２のネットワークノードは、第１のネットワークノードから、第２のネットワークノードによる使用のための、複数のリソースのうちの１つ以上のリソースを表すビット系列を含んだメッセージを受信する。
【０１３６】
特定の実施形態において、メッセージは調整メッセージである。
【０１３７】
特定の実施形態において、複数のリソースはリソースグリッドに対応する。さらなる特定の実施形態において、リソースグリッドにおける各リソースは、ビット系列におけるビットインデクスによって特定されうる。
【０１３８】
特定の実施形態において、ビット系列における値０を有する各ビットは、第２のネットワークノードによって使用可能な１つ以上のリソースのうちの特定の１つに対応しうる。
【０１３９】
特定の実施形態において、ビット系列における値１を有する各ビットは、第１のネットワークノードによって使用されるリソースに対応しうる。
【０１４０】
なお、当業者が理解するように、ビットの値は、共有されるべきリソースを示すために変更されてもよい。例えば、いくつかの実施形態では、値０を有するビットが、第１のネットワークによって使用されるリソースに対応してもよい。したがって、このリソースは、共有に利用可能でない。
【０１４１】
いくつかの実施形態では、ビット値１は、第２のネットワークノードによって利用可能な特定の１つのリソースに対応しうる。
【０１４２】
特定の実施形態において、メッセージは、さらに、第１のネットワークノードと第２のネットワークノードとの間で共有される複数のＰＲＢとしてあらわされる時間及び／又は周波数リソースの全体のスペースを示しうる。例えば、特定の実施形態において、メッセージは、複数のＰＲＢのうちの各個別の１つに対する第１の値又は第２の値を含みうる。メッセージが複数のＰＲＢの個別の１つに対して第１の値を含む場合、複数のＰＲＢのその個別の１つが、第１のＲＡＴを用いて第１のネットワークノードに割り当てられる。一方で、メッセージが、複数のＰＲＢのうちの個別の１つに対して第２の値を含む場合、複数のＰＲＢのうちのその個別の１つは、第２のＲＡＴを用いる第２のネットワークノードに割り当てられる。
【０１４３】
特定の実施形態において、ビット値０は、共有されるリソースを表してもよく、ビット値１が、利用可能でないリソースを表してもよい。
【０１４４】
特定の実施形態において、第１のＲＡＴはマスタＲＡＴであり、第２のＲＡＴはセカンダリＲＡＴであり、１つ以上のリソースが、第２のネットワークノードによるメッセージの受信に先立って、第１のネットワークノードに割り当てられる。例えば、マスタＲＡＴはＬＴＥであってもよく、セカンダリＲＡＴはＮＲでありうる。
【０１４５】
特定の実施形態において、メッセージは、１つ以上のリソースが第２のＲＡＴによって使用されうる合意時間期間を含む。
【０１４６】
ステップ１２２０では、第２のネットワークノードは、ビット系列によって表される１つ以上のリソースを使用する。
【０１４７】
特定の実施形態において、方法は、さらに、第１のネットワークノードに対して、所望のリソース量を示す要求を送信することを含んでもよく、第２のネットワークノードによる使用のために特定された１つ以上のリソースは、所望の量のリソースを含みうる。
【０１４８】
別の特定の実施形態では、方法は、さらに、第１のネットワークノードに対して、１つ以上のリソースを示す要求を送信することを含んでもよく、メッセージが、その要求に応答して、第２のネットワークノードによって受信されてもよい。
【０１４９】
特定の実施形態において、メッセージは、ＯＣＲＳに関連すると共に１つ以上のリソースから除外される１つ以上の追加のリソースを含みうる。
【０１５０】
ある実施形態では、上述のような重複するスペクトルを用いるネットワークノード間のリソース割り当ての方法が、コンピュータネットワーキング化層装置によって実行されうる。図１３は、ある実施形態による、重複するスペクトルを用いるネットワークノード間のリソース割り当てのための例示の仮想演算デバイス１３００を図解している。ある実施形態では、仮想演算デバイス１３００は、図１２において図解されて説明された方法に関して上述したものと同様のステップを実行するためのモジュールを含みうる。例えば、仮想演算デバイス１３００は、少なくとも１つの受信モジュール１３１０、使用モジュール１３２０、および、重複するスペクトルを用いるネットワークノード間のリソース割り当てのための任意の他の適切なモジュールを含みうる。いくつかの実施形態では、そのモジュールのうちの１つ以上が、図６の処理回路１７０を用いて実装されうる。ある実施形態では、様々なモジュールの２つ以上の機能が、単一のモジュールに組み合わせられてもよい。
【０１５１】
受信モジュール１３１０は、仮想演算デバイス１３００の受信機能を実行しうる。例えば、特定の実施形態において、受信モジュール１３１０は、第１のネットワークノードから、第２のネットワークノードによる使用のための、複数のリソースのうちの１つ以上のリソースを表すビット列を含んだメッセージを受信しうる。
【０１５２】
使用モジュール１３２０は、仮想演算デバイス１３００の使用機能を実行しうる。例えば、特定の実施形態において、使用モジュール１３２０は、ビット系列によって示された１つ以上のリソースを使用しうる。
【０１５３】
仮想演算デバイス１３００の他の実施形態は、（上述の解決策をサポートするのに必要な任意の機能を含んだ）上述の機能のいずれか及び／又は任意の追加の機能を含む、ある態様のネットワークノードの機能を提供することを担いうる、図１３に示されるものを超える追加の要素を含みうる。様々な異なるタイプの無線デバイスは、異なる無線アクセス技術をサポートするように（例えばプログラミングを介して）構成された同一の物理ハードウェアを有するコンポーネントを含んでもよく、又は、部分的にもしくは全体として異なる物理コンポーネントを表してもよい。
【０１５４】
ここで開示される任意の適切なステップ、方法、特徴、又は利点は、１つ以上の仮想装置の１つ以上の機能ユニット又はモジュールを通じて実行されうる。各仮想装置は、複数のこれらの機能ユニットを有しうる。これらの機能ユニットは、１つ以上のマイクロプロセッサ又はマイクロコントローラ、および、デジタルシグナルプロセッサ（ＤＳＰ）や特定用途デジタルロジックなどを含みうる他のデジタルハードウェアを含んでもよい、処理回路を介して実装されうる。処理回路は、リードオンリーメモリ（ＲＯＭ）、ランダムアクセスメモリ（ＲＡＭ）、キャッシュメモリ、フラッシュメモリデバイス、光学記憶装置などの１つまたはいくつかのタイプのメモリを含みうるメモリに記憶された、プログラムコードを実行するように構成されうる。メモリに記憶されたプログラムコードは、１つ以上の電気通信及び／又はデータ通信プロトコルを実行するためのプログラム命令、および、ここで説明される１つ以上の技術を実行するための命令を含む。いくつかの実装において、処理回路は、個別の機能ユニットに、本開示の１つ以上の実施形態による、対応する機能を実行させるために使用されうる。
【０１５５】
用語ユニットは、電子工学、電気デバイス、及び／又は電子デバイスのフィールドにおける通常の意味を有してもよく、例えば、個別のタスク、手順、計算、出力、及び／又は表示の機能など、それ自体がここで説明されたようなものを実行するための、電気及び／又は電子回路、デバイス、モジュール、プロセッサ、メモリ、ロジックソリッドステート及び／又はディスクリートデバイス、コンピュータプログラム又は命令を含みうる。
【０１５６】
変更、追加、又は省略が、本開示の範囲から離れることなく、ここで説明したシステムおよび装置に対してなされうる。システムおよび装置のコンポーネントは、集約されてもよいし分離されてもよい。さらに、システムおよび装置の動作は、より多くの、より少ない、または他のコンポーネントにより実行されてもよい。さらに、システムおよび装置の動作は、ソフトウェア、ハードウェア、及び／又は他のロジックを有する任意の適切なロジックを用いて実行されうる。本文書において使用されるように、「各」は、セットの中の各要素、又は、セットの中のサブセットの各要素を指す。
【０１５７】
変更、追加、又は省略が、本開示の範囲から離れることなく、ここで説明される方法に対してなされうる。方法は、より多くの、より少ない、又は他のステップを含みうる。さらに、ステップは任意の適切な順序で実行されてもよい。
【０１５８】
本開示について、所定の実施形態の観点で説明したが、実施形態の変更および変形が、当業者には明らかであろう。したがって、実施形態の上での説明は、本開示を制約しない。本開示の精神および範囲から離れることなく、以下の請求項によって定められるように、他の変更、置換、および変更が可能である。
【図１】
2021520666.tif 000013
【図２】
2021520666.tif 000014
【図３】
2021520666.tif 000015
【図４】
2021520666.tif 000016
【図５】
2021520666.tif 000017
【図６】
2021520666.tif 000018
【図７】
2021520666.tif 000019
【図８】
2021520666.tif 000020
【図９】
2021520666.tif 000021
【図１０】
2021520666.tif 000022
【図１１】
2021520666.tif 000023
【図１２】
2021520666.tif 000024
【図１３】
2021520666.tif 000025
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）を有する第１のネットワークノード（１６０）と第２のＲＡＴを有する第２のネットワークノード（１６０）との間でのリソース割り当ての方法であって、前記第１のＲＡＴと前記第２のＲＡＴは重複するスペクトルを使用し、前記方法は、
前記第１のネットワークノードが、前記第２のネットワークノードによる使用のための、複数のリソースのうちの１つ以上のリソースを決定することと、
前記第２のネットワークノードへ、前記第２のネットワークノードによる使用のための前記１つ以上のリソースが特定されたビット系列を含んだメッセージを送信することと、
を含み、
前記複数のリソースは、当該複数のリソースにおける物理リソースブロック（ＰＲＢ）の総数に長さが対応する前記ビット系列によって表現され、前記ビット系列における各ビットが１つのＰＲＢに対応し、前記ビット系列の最初のビットが最も低い周波数を有するＰＲＢに対応する、方法。
【請求項２】
前記メッセージは調整メッセージである、請求項１に記載の方法。
【請求項３】
前記複数のリソースはリソースグリッドに対応する、請求項１又は２に記載の方法。
【請求項４】
前記リソースグリッドにおける各リソースは、前記ビット系列におけるビットインデクスによって特定される、請求項３に記載の方法。
【請求項５】
前記ビット系列において値０を有する各ビットが、前記第２のネットワークノードによって利用可能な前記１つ以上のリソースのうちの特定の１つに対応する、請求項１から４のいずれか１項に記載の方法。
【請求項６】
前記ビット系列において値１を有するビットが、前記第１のネットワークノードによって使用されるリソースに対応する、請求項１から５のいずれか１項に記載の方法。
【請求項７】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項１から６のいずれか１項に記載の方法。
【請求項８】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項７に記載の方法。
【請求項９】
前記第１の値は１であり、前記第２の値は０であり、前記第１の値および前記第２の値はビットによって与えられる、請求項８に記載の方法。
【請求項１０】
前記第１のＲＡＴはマスタＲＡＴであり、前記第２のＲＡＴはセカンダリＲＡＴであり、前記１つ以上のリソースが、前記第２のネットワークノードへ前記メッセージを送信することに先立って、前記第１のネットワークノードに割り当てられる、請求項１から９のいずれか１項に記載の方法。
【請求項１１】
前記メッセージは、前記第２のＲＡＴによって前記１つ以上のリソースが使用される合意時間期間を含む、請求項１から１０のいずれか１項に記載の方法。
【請求項１２】
前記第１のネットワークノードが、前記第２のネットワークノードから、要求されるリソースの量を示す要求を受信することをさらに有し、
前記第２のネットワークノードによる使用のために決定された前記１つ以上のリソースは、前記要求される量のリソースを含む、
請求項１から１１のいずれか１項に記載の方法。
【請求項１３】
前記第１のネットワークノードが、前記第２のネットワークノードから、前記１つ以上のリソースを示す要求を受信することと、
前記要求に応答して前記メッセージを送信することと、
をさらに有する請求項１から１１のいずれか１項に記載の方法。
【請求項１４】
前記メッセージは、オーバーラッピング制御及び参照信号（ＯＣＲＳ）信号と関連すると共に前記１つ以上のリソースから除外される１つ以上の追加のリソースをさらに含む、請求項１から１３のいずれか１項に記載の方法。
【請求項１５】
コンピュータ上で実行されるときに、請求項１から１４のいずれか１項に記載の方法を実行する命令を有するコンピュータプログラムを含んだコンピュータプログラム媒体。
【請求項１６】
第１の無線アクセス技術（ＲＡＴ）を有する第１のネットワークノード（１６０）であって、前記第１のネットワークノードは、
第２のＲＡＴを有する第２のネットワークノード（１６０）による使用のための、複数のリソースのうちの１つ以上のリソースを前記第１のネットワークノードが決定し、ここで、前記複数のリソースは、当該複数のリソースにおける物理リソースブロック（ＰＲＢ）の総数に長さが対応するビット系列によって表現され、かつ、前記第１のＲＡＴと前記第２のＲＡＴは重複するスペクトルを用い、前記ビット系列における各ビットが１つのＰＲＢに対応し、前記ビット系列の最初のビットが最も低い周波数を有するＰＲＢに対応し、
前記第２のネットワークノードによって利用可能な前記１つ以上のリソースが特定された前記ビット系列を含んだメッセージを、前記第２のネットワークノードへ送信する、
ように動作可能な処理回路（１７０）を有する第１のネットワークノード。
【請求項１７】
前記メッセージは調整メッセージである、請求項１６に記載の第１のネットワークノード。
【請求項１８】
前記複数のリソースはリソースグリッドに対応する、請求項１６又は１７に記載の第１のネットワークノード。
【請求項１９】
前記リソースグリッドにおける各リソースは、前記ビット系列におけるビットインデクスによって特定される、請求項１８に記載の第１のネットワークノード。
【請求項２０】
前記ビット系列において値０を有する各ビットが、前記第２のネットワークノードによって利用可能な前記１つ以上のリソースのうちの特定の１つに対応する、請求項１６から１９のいずれか１項に記載の第１のネットワークノード。
【請求項２１】
前記ビット系列において値１を有するビットが、前記第１のネットワークノードによって使用されるリソースに対応する、請求項１６から２０のいずれか１項に記載の第１のネットワークノード。
【請求項２２】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項１６から２１のいずれか１項に記載の第１のネットワークノード。
【請求項２３】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項２２に記載の第１のネットワークノード。
【請求項２４】
前記第１の値は１であり、前記第２の値は０であり、前記第１の値および前記第２の値はビットによって与えられる、請求項２３に記載の第１のネットワークノード。
【請求項２５】
前記第１のＲＡＴはマスタＲＡＴであり、前記第２のＲＡＴはセカンダリＲＡＴであり、前記１つ以上のリソースが、前記第２のネットワークノードへ前記メッセージを送信することに先立って、前記第１のネットワークノードに割り当てられる、請求項１６から２４のいずれか１項に記載の第１のネットワークノード。
【請求項２６】
前記メッセージは、前記第２のＲＡＴによって前記リソースが使用される合意時間期間を含む、請求項１６から２５のいずれか１項に記載の第１のネットワークノード。
【請求項２７】
前記処理回路は、前記第２のネットワークノードから、要求されるリソースの量を示す要求を受信するようにさらに動作可能であり、
前記第２のネットワークノードによる使用のために決定された前記１つ以上のリソースは、前記要求される量のリソースを含む、
請求項１６から２６のいずれか１項に記載の第１のネットワークノード。
【請求項２８】
前記処理回路は、前記第２のネットワークノードから、前記１つ以上のリソースを示す要求を受信し、
前記要求に応答して前記メッセージを送信する、
ようにさらに動作可能である、請求項１６から２６のいずれか１項に記載の第１のネットワークノード。
【請求項２９】
前記メッセージは、オーバーラッピング制御及び参照信号（ＯＣＲＳ）信号と関連すると共に前記１つ以上のリソースから除外される１つ以上の追加のリソースをさらに含む、請求項１６から２８のいずれか１項に記載の第１のネットワークノード。
【請求項３０】
第１の無線アクセス技術（ＲＡＴ）を有する第１のネットワークノード（１６０）と第２のＲＡＴを有する第２のネットワークノード（１６０）との間でのリソース割り当てのための方法であって、前記第１のＲＡＴと前記第２のＲＡＴは重複するスペクトルを用い、前記方法は、
前記第１のネットワークノードから、前記第２のネットワークノードによる使用のための、複数のリソースにおける物理リソースブロック（ＰＲＢ）の総数に長さが対応するビット系列を含んだメッセージであって、当該ビット系列における各ビットが１つのＰＲＢに対応し、前記ビット系列の最初のビットが最も低い周波数を有するＰＲＢに対応する前記ビット系列を含んだメッセージを受信することと、
前記ビット系列において示される１つ以上のリソースを用いることと、
を含む方法。
【請求項３１】
前記メッセージは調整メッセージである、請求項３０に記載の方法。
【請求項３２】
前記複数のリソースはリソースグリッドに対応する、請求項３０又は３１に記載の方法。
【請求項３３】
前記リソースグリッドにおける各リソースは、前記ビット系列におけるビットインデクスによって特定される、請求項３２に記載の方法。
【請求項３４】
前記ビット系列において値０を有する各ビットが、前記第２のネットワークノードによって利用可能な前記１つ以上のリソースのうちの特定の１つに対応する、請求項３０から３３のいずれか１項に記載の方法。
【請求項３５】
前記ビット系列において値１を有するビットが、前記第１のネットワークノードによって使用されるリソースに対応する、請求項３０から３３のいずれか１項に記載の方法。
【請求項３６】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項３０から３５のいずれか１項に記載の方法。
【請求項３７】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項３６に記載の方法。
【請求項３８】
前記第１の値は１であり、前記第２の値は０であり、前記第１の値および前記第２の値はビットによって与えられる、請求項３７に記載の方法。
【請求項３９】
前記第１のＲＡＴはマスタＲＡＴであり、前記第２のＲＡＴはセカンダリＲＡＴであり、前記１つ以上のリソースが、前記第２のネットワークノードによって前記メッセージが受信されることに先立って、前記第１のネットワークノードに割り当てられる、請求項３０から３８のいずれか１項に記載の方法。
【請求項４０】
前記メッセージは、前記第２のＲＡＴによって前記１つ以上のリソースが使用される合意時間期間を含む、請求項３０から３９のいずれか１項に記載の方法。
【請求項４１】
前記第１のネットワークノードへ、所望のリソースの量を示す要求を送信することをさらに有し、
前記メッセージにおいて前記第２のネットワークノードによる使用のために示された前記１つ以上のリソースは、前記所望の量のリソースを含む、
請求項３０から４０のいずれか１項に記載の方法。
【請求項４２】
前記第１のネットワークノードへ、前記１つ以上のリソースを示す要求を送信することと、
前記要求に応答して前記メッセージを受信することと、
をさらに有する、請求項３０から４０のいずれか１項に記載の方法。
【請求項４３】
前記メッセージは、オーバーラッピング制御及び参照信号（ＯＣＲＳ）信号と関連すると共に前記１つ以上のリソースから除外される１つ以上の追加のリソースをさらに含む、請求項３０から４２のいずれか１項に記載の方法。
【請求項４４】
コンピュータ上で実行されるときに、請求項３０から４３のいずれか１項に記載の方法を実行する命令を有するコンピュータプログラムを含んだコンピュータプログラム媒体。
【請求項４５】
第１の無線アクセス技術（ＲＡＴ）を有する第１のネットワークノード（１６０）であって、前記第１のネットワークノードは、
第２のＲＡＴを有する第２のネットワークノード（１６０）から、前記第１のネットワークノードによる使用のための、複数のリソースにおける物理リソースブロック（ＰＲＢ）の総数に長さが対応するビット系列を含んだメッセージを受信し、ここで、前記第１のＲＡＴと前記第２のＲＡＴは重複するスペクトルを用い、前記ビット系列における各ビットが１つのＰＲＢに対応し、前記ビット系列の最初のビットが最も低い周波数を有するＰＲＢに対応し、
前記ビット系列によって示された１つ以上のリソースを使用する、
ように動作可能な処理回路（１７０）を有する、第１のネットワークノード。
【請求項４６】
前記メッセージは調整メッセージである、請求項４５に記載の第１のネットワークノード。
【請求項４７】
前記複数のリソースはリソースグリッドに対応する、請求項４５又は４６に記載の第１のネットワークノード。
【請求項４８】
前記リソースグリッドにおける各リソースは、前記ビット系列におけるビットインデクスによって特定される、請求項４７に記載の第１のネットワークノード。
【請求項４９】
前記ビット系列において値０を有する各ビットが、前記第２のネットワークノードによって利用可能な前記１つ以上のリソースのうちの特定の１つに対応する、請求項４５から４８のいずれか１項に記載の第１のネットワークノード。
【請求項５０】
前記ビット系列において値１を有する各ビットが、前記第１のネットワークノードによって使用されるリソースに対応する、請求項４５から４９のいずれか１項に記載の第１のネットワークノード。
【請求項５１】
前記メッセージは、さらに、前記第１のネットワークノードと前記第２のネットワークノードとの間で共有される複数の物理リソースブロック（ＰＲＢ）として表現される時間及び／又は周波数リソースの全部のスペースを示す、請求項４５から５０のいずれか１項に記載の第１のネットワークノード。
【請求項５２】
前記メッセージは前記複数のＰＲＢの各個別の１つに対する第１の値又は第２の値をさらに含み、
前記メッセージが前記複数のＰＲＢの個別の１つに対して前記第１の値を含む場合、前記複数のＰＲＢの当該個別の１つが、前記第１のＲＡＴを用いて前記第１のネットワークノードに割り当てられ、
前記メッセージが前記複数のＰＲＢの個別の１つに対して前記第２の値を含む場合、前記複数のＰＲＢの当該個別の１つが、前記第１のＲＡＴを用いて前記第２のネットワークノードに割り当てられる、
請求項５１に記載の第１のネットワークノード。
【請求項５３】
前記第１の値は１であり、前記第２の値は０であり、前記第１の値および前記第２の値はビットによって与えられる、請求項５２に記載の第１のネットワークノード。
【請求項５４】
前記第１のＲＡＴはマスタＲＡＴであり、前記第２のＲＡＴはセカンダリＲＡＴであり、前記１つ以上のリソースは、前記第２のネットワークノードによる前記メッセージの受信に先立って、前記第１のネットワークノードに割り当てられる、請求項４５から５３のいずれか１項に記載の第１のネットワークノード。
【請求項５５】
前記メッセージは、前記リソースが前記第２のＲＡＴによって使用されうる合意時間期間を含む、請求項４５から５４のいずれか１項に記載の第１のネットワークノード。
【請求項５６】
前記処理回路は、前記第１のネットワークノードへ、所望のリソースの量を示す要求を送信するように動作可能であり、
前記メッセージにおいて前記第２のネットワークノードによる使用のために示された前記１つ以上のリソースは、前記所望の量のリソースを含む、請求項４５から５５のいずれか１項に記載の第１のネットワークノード。
【請求項５７】
前記処理回路は、
前記第１のネットワークノードへ、前記１つ以上のリソースを示す要求を送信し、
前記要求に応答して前記メッセージを受信する
ようにさらに動作可能である、請求項４５から５５のいずれか１項に記載の第１のネットワークノード。
【請求項５８】
前記メッセージは、オーバーラッピング制御及び参照信号（ＯＣＲＳ）信号と関連すると共に前記１つ以上のリソースから除外される１つ以上の追加のリソースをさらに含む、請求項４５から５７のいずれか１項に記載の第１のネットワークノード。
【国際調査報告】
2021520666.tif 000026
2021520666.tif 000027
2021520666.tif 000028